(57)【要約】【課題】  デジタルチューナのチャンネルの選局情報をデジタルインタフェースバスを通じて外部から読み出せるが、選局情報だけでは何れのチューナの映像及び音声信号がディスプレイおよびスピーカに出力されているか特定できないテレビを対象とし、そのテレビで実際に視聴されているチャンネルを高速かつ正確に判定する。【解決手段】  測定装置２は、デジタルインタフェースバス３経由でテレビ１のデジタルチューナ１１−１、１１−２からチャンネルの選局情報を読み出す。次に選局情報が示すデジタルチャンネル及びアナログチューナ１４で選局可能なアナログチャンネルを１チャンネルずつ順に基準チューナ２８に選局させ、テレビ１のスピーカ出力端子１３から出力される音声信号と基準チューナ２８から出力される音声信号とを音声比較部２９で比較し、一致したチャンネルを視聴中のチャンネルと判定して視聴データに記録する。【選択図】 図２５
2005130351.tif 000002
【特許請求の範囲】
【請求項１】
少なくとも１つのデジタルチューナを備え、前記デジタルチューナのチャンネルの選局情報をデジタルインタフェースバスを通じて外部から読み出せるテレビジョン受像機で視聴中のチャンネルを判定する方法において、
ａ）前記選局情報を前記デジタルインタフェースバスを通じて周期的に読み出すステップ、
ｂ）前記選局情報が読み出される毎に前記読み出された選局情報に基づいて視聴中チャンネルを判定し、視聴中チャンネルの情報と時刻情報とを含む視聴データを生成するステップ、
を含むことを特徴とする視聴チャンネル判定方法。
【請求項２】
少なくとも１つのデジタルチューナを備え、前記デジタルチューナのチャンネルの選局情報をデジタルインタフェースバスを通じて外部から読み出せるテレビジョン受像機で視聴中のチャンネルを判定する方法において、
ａ）前記選局情報を前記デジタルインタフェースバスを通じて読み出すステップ、
ｂ）読み出された前記選局情報に基づいて視聴中チャンネルの情報と時刻情報とを含む視聴データを生成するステップ、
ｃ）基準チューナに前記視聴中チャンネルを選局させ、前記テレビジョン受像機から出力される音声信号と前記基準チューナから出力される音声信号とを比較し、不一致を検出したときに前記ステップａに戻すステップ、
を含むことを特徴とする視聴チャンネル判定方法。
【請求項３】
前記ステップｃの代わりに、
ｃ）基準チューナに前記視聴中チャンネルを選局させ、前記テレビジョン受像機から出力される音声信号と前記基準チューナから出力される音声信号とを比較すると同時に、前記デジタルインタフェースバスを通じて前記選局情報を周期的に読み出して前記選局情報の変化を検出し、音声信号の不一致を検出したときに前記ステップａに戻し、前記選局情報の変化を検出したときに前記ステップｂに戻すステップ、
を含むことを特徴とする請求項２記載の視聴チャンネル判定方法。
【請求項４】
２以上のデジタルチューナを備え、前記デジタルチューナのチャンネルの選局情報をデジタルインタフェースバスを通じて外部から読み出せるが、該読み出した選局情報からは何れの前記デジタルチューナの信号が出力されているか特定できないテレビジョン受像機で視聴中のチャンネルを判定する方法において、
ａ）前記選局情報を前記デジタルインタフェースバスを通じて周期的に読み出すステップ、
ｂ）前記選局情報が読み出される毎に、前記選局情報が示すチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、
を含むことを特徴とする視聴チャンネル判定方法。
【請求項５】
２以上のデジタルチューナを備え、前記デジタルチューナのチャンネルの選局情報をデジタルインタフェースバスを通じて外部から読み出せるが、該読み出した選局情報からは何れの前記デジタルチューナの信号が出力されているか特定できないテレビジョン受像機で視聴中のチャンネルを判定する方法において、
ａ）前記選局情報を前記デジタルインタフェースバスを通じて読み出すステップ、
ｂ）前記選局情報が示すチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、
ｃ）前記基準チューナに前記視聴中チャンネルを選局させた状態で、前記テレビジョン受像機から出力される音声信号と前記基準チューナから出力される音声信号とを比較し、不一致が検出されたときに前記ステップａに戻すステップ、
を含むことを特徴とする視聴チャンネル判定方法。
【請求項６】
前記ステップｃの代わりに、
ｃ）前記基準チューナに前記視聴中チャンネルを選局させた状態で、前記テレビジョン受像機から出力される音声信号と前記基準チューナから出力される音声信号とを比較すると同時に、前記デジタルインタフェースバスを通じて前記選局情報を周期的に読み出して前記選局情報の変化を検出し、音声信号の不一致を検出したときに前記ステップａに戻し、前記選局情報の変化を検出したときに前記ステップｂに戻すステップ、
を含むことを特徴とする請求項５記載の視聴チャンネル判定方法。
【請求項７】
それぞれ少なくとも１つのデジタルチューナおよびアナログチューナを備え、前記デジタルチューナのチャンネルの選局情報をデジタルインタフェースバスを通じて外部から読み出せるテレビジョン受像機で視聴中のチャンネルを判定する方法において、
ａ）前記選局情報を前記デジタルインタフェースバスを通じて周期的に読み出すステップ、
ｂ）前記選局情報が読み出される毎に、前記選局情報が有効であれば前記選局情報が示すチャンネルを視聴中のチャンネルと判定し、前記選局情報が無効であれば、前記アナログチューナで選局可能なチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、
を含むことを特徴とする視聴チャンネル判定方法。
【請求項８】
それぞれ少なくとも１つのデジタルチューナおよびアナログチューナを備え、前記デジタルチューナのチャンネルの選局情報をデジタルインタフェースバスを通じて外部から読み出せるテレビジョン受像機で視聴中のチャンネルを判定する方法において、
ａ）前記選局情報を前記デジタルインタフェースバスを通じて読み出すステップ、
ｂ）前記選局情報が有効であれば前記選局情報が示すチャンネルを視聴中のチャンネルと判定し、前記選局情報が無効であれば、前記アナログチューナで選局可能なチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、
ｃ）前記基準チューナに前記視聴中チャンネルを選局させた状態で、前記テレビジョン受像機から出力される音声信号と前記基準チューナから出力される音声信号とを比較し、不一致が検出されたときに前記ステップａに戻すステップ、
を含むことを特徴とする視聴チャンネル判定方法。
【請求項９】
前記ステップｃの代わりに、
ｃ）前記基準チューナに前記視聴中チャンネルを選局させた状態で、前記テレビジョン受像機から出力される音声信号と前記基準チューナから出力される音声信号とを比較すると同時に、前記デジタルインタフェースバスを通じて前記選局情報を周期的に読み出して前記選局情報の変化を検出し、音声信号の不一致を検出したときに前記ステップａに戻し、前記選局情報の変化を検出したときに前記ステップｂに戻すステップ、
を含むことを特徴とする請求項８記載の視聴チャンネル判定方法。
【請求項１０】
それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの前記チューナの信号が出力されているか特定できないテレビジョン受像機で視聴中のチャンネルを判定する方法において、
ａ）前記選局情報を前記デジタルインタフェースバスを通じて周期的に読み出すステップ、
ｂ）前記選局情報が読み出される毎に、前記選局情報が示すチャンネルおよび前記アナログチューナで選局可能なチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、
を含むことを特徴とする視聴チャンネル判定方法。
【請求項１１】
それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの前記チューナの信号が出力されているか特定できないテレビジョン受像機で視聴中のチャンネルを判定する方法において、
ａ）前記選局情報を前記デジタルインタフェースバスを通じて読み出すステップ、
ｂ）前記選局情報が示すチャンネルおよび前記アナログチューナで選局可能なチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、
ｃ）前記基準チューナに前記視聴中チャンネルを選局させた状態で、前記テレビジョン受像機から出力される音声信号と前記基準チューナから出力される音声信号とを比較し、不一致が検出されたときに前記ステップａに戻すステップ、
を含むことを特徴とする視聴チャンネル判定方法。
【請求項１２】
前記ステップｃの代わりに、
ｃ）前記基準チューナに前記視聴中チャンネルを選局させた状態で、前記テレビジョン受像機から出力される音声信号と前記基準チューナから出力される音声信号とを比較すると同時に、前記デジタルインタフェースバスを通じて前記選局情報を周期的に読み出して前記選局情報の変化を検出し、音声信号の不一致を検出したときに前記ステップａに戻し、前記選局情報の変化を検出したときに前記ステップｂに戻すステップ、
を含むことを特徴とする請求項１１記載の視聴チャンネル判定方法。
【請求項１３】
前記デジタルインタフェースバスにデジタル録画機器が接続されている場合に、前記デジタル録画機器の動作状態を前記デジタルインタフェースバスを通じて読み出し、前記視聴データに含めることを特徴とする請求項１乃至１２の何れか１項に記載の視聴チャンネル判定方法。
【請求項１４】
少なくとも１つのデジタルチューナを備え、前記デジタルチューナのチャンネルの選局情報をデジタルインタフェースバスを通じて外部から読み出せるテレビジョン受像機で視聴中のチャンネルを判定する装置において、
前記選局情報を前記デジタルインタフェースバスを通じて周期的に読み出す選局情報取得手段と、
前記選局情報取得手段によって読み出された選局情報に基づいて視聴中チャンネルの情報と時刻情報とを含む視聴データを生成する制御手段とを備えたことを特徴とする視聴チャンネル判定装置。
【請求項１５】
少なくとも１つのデジタルチューナを備え、前記デジタルチューナのチャンネルの選局情報をデジタルインタフェースバスを通じて外部から読み出せるテレビジョン受像機で視聴中のチャンネルを判定する装置において、
読み出し指示に応答して前記選局情報を前記デジタルインタフェースバスを通じて読み出す選局情報取得手段と、
予め定められた複数のチャンネルのうち任意のチャンネルの音声信号を出力することができる基準チューナと、
前記テレビジョン受像機から出力される音声信号と前記基準チューナから出力される音声信号とが一致するか否かを検出する音声比較手段と、
前記選局情報取得手段によって読み出された前記選局情報に基づいて視聴中チャンネルの情報と時刻情報とを含む視聴データを生成する一連の処理を実行する制御手段であって、前記一連の処理で視聴中と判定したチャンネルを前記基準チューナに選局させて前記音声比較手段の出力を監視し、前記音声比較手段の出力が不一致検出状態に変化したとき、前記選局情報取得手段に対し新たな読み出しを指示して前記一連の処理を再び実行する制御手段とを備えたことを特徴とする視聴チャンネル判定装置。
【請求項１６】
前記選局情報取得手段の代わりに、読み出し指示に応答して、前記選局情報をデジタルインタフェースバスを通じて読み出して通知すると共に、以後周期的に前記選局情報をデジタルインタフェースバスを通じて読み出し、変化した選局情報を通知する選局情報取得手段を備え、
前記制御手段の代わりに、前記選局情報取得手段によって読み出された前記選局情報に基づいて視聴中チャンネルの情報と時刻情報とを含む視聴データを生成する一連の処理を実行する制御手段であって、前記一連の処理で視聴中と判定したチャンネルを前記基準チューナに選局させて前記音声比較手段の出力を監視し、前記音声比較手段の出力が不一致検出状態に変化したときは前記選局情報取得手段に対し新たな読み出しを指示して前記一連の処理を再び実行し、前記音声比較手段の出力が不一致検出状態に変化する前に前記選局情報取得手段から変化した選局情報が通知されたときは前記一連の処理を再び実行する制御手段を備えたことを特徴とする請求項１５記載の視聴チャンネル判定装置。
【請求項１７】
２以上のデジタルチューナを備え、前記デジタルチューナのチャンネルの選局情報をデジタルインタフェースバスを通じて外部から読み出せるが、該読み出した選局情報からは何れの信号が出力されているか特定できないテレビジョン受像機で視聴中のチャンネルを判定する装置において、
前記選局情報を前記デジタルインタフェースバスを通じて周期的に読み出す選局情報取得手段と、
予め定められた複数のチャンネルのうち任意のチャンネルの音声信号を出力することができる基準チューナと、
前記テレビジョン受像機から出力される音声信号と前記基準チューナから出力される音声信号とが一致するか否かを検出する音声比較手段と、
前記選局情報取得手段で取得された前記選局情報が示すチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成する制御手段とを備えたことを特徴とする視聴チャンネル判定装置。
【請求項１８】
２以上のデジタルチューナを備え、前記デジタルチューナのチャンネルの選局情報をデジタルインタフェースバスを通じて外部から読み出せるが、該読み出した選局情報からは何れの信号が出力されているか特定できないテレビジョン受像機で視聴中のチャンネルを判定する装置において、
読み出し指示に応答して前記選局情報を前記デジタルインタフェースバスを通じて読み出す選局情報取得手段と、
予め定められた複数のチャンネルのうち任意のチャンネルの音声信号を出力することができる基準チューナと、
前記テレビジョン受像機から出力される音声信号と前記基準チューナから出力される音声信号とが一致するか否かを検出する音声比較手段と、
前記選局情報取得手段で取得された前記選局情報が示すチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を実行する制御手段であって、前記一連の処理で視聴中と判定したチャンネルを前記基準チューナに選局させている状態で前記音声比較手段の出力を監視し、前記音声比較手段の出力が不一致検出状態に変化したとき、前記選局情報取得手段に対し新たな読み出しを指示して前記一連の処理を再び実行する制御手段とを備えたことを特徴とする視聴チャンネル判定装置。
【請求項１９】
前記選局情報取得手段の代わりに、読み出し指示に応答して、前記選局情報をデジタルインタフェースバスを通じて読み出して通知すると共に、以後周期的に前記選局情報をデジタルインタフェースバスを通じて読み出し、変化した選局情報を通知する選局情報取得手段を備え、
前記制御手段の代わりに、前記選局情報取得手段で取得された前記選局情報が示すチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を実行する制御手段であって、前記一連の処理で視聴中と判定したチャンネルを前記基準チューナに選局させて前記音声比較手段の出力を監視し、前記音声比較手段の出力が不一致検出状態に変化したときは前記選局情報取得手段に対し新たな読み出しを指示して前記一連の処理を再び実行し、前記音声比較手段の出力が不一致検出状態に変化する前に前記選局情報取得手段から変化した選局情報が通知されたときは前記一連の処理を再び実行する制御手段を備えたことを特徴とする請求項１８記載の視聴チャンネル判定装置。
【請求項２０】
それぞれ少なくとも１つのデジタルチューナおよびアナログチューナを備え、前記デジタルチューナのチャンネルの選局情報をデジタルインタフェースバスを通じて外部から読み出せるテレビジョン受像機で視聴中のチャンネルを判定する装置において、
前記選局情報を前記デジタルインタフェースバスを通じて周期的に読み出す選局情報取得手段と、
予め定められた複数のチャンネルのうち任意のチャンネルの音声信号を出力することができる基準チューナと、
前記テレビジョン受像機から出力される音声信号と前記基準チューナから出力される音声信号とが一致するか否かを検出する音声比較手段と、
前記選局情報取得手段で取得された前記選局情報が何れかのデジタルチャンネルを示す場合には前記選局情報に基づいて視聴中のチャンネルを判定し、前記選局情報が何れのデジタルチャンネルも示さない場合には、アナログチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成する制御手段とを備えたことを特徴とする視聴チャンネル判定装置。
【請求項２１】
それぞれ少なくとも１つのデジタルチューナおよびアナログチューナを備え、前記デジタルチューナのチャンネルの選局情報をデジタルインタフェースバスを通じて外部から読み出せるテレビジョン受像機で視聴中のチャンネルを判定する装置において、
読み出し指示に応答して前記選局情報を前記デジタルインタフェースバスを通じて読み出す選局情報取得手段と、
予め定められた複数のチャンネルのうち任意のチャンネルの音声信号を出力することができる基準チューナと、
前記テレビジョン受像機から出力される音声信号と前記基準チューナから出力される音声信号とが一致するか否かを検出する音声比較手段と、
前記選局情報取得手段で取得された前記選局情報が何れかのデジタルチャンネルを示す場合には前記選局情報に基づいて視聴中のチャンネルを判定し、前記選局情報が何れのデジタルチャンネルも示さない場合には、アナログチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を実行する制御手段であって、前記一連の処理で視聴中と判定したチャンネルを前記基準チューナに選局させている状態で前記音声比較手段の出力を監視し、前記音声比較手段の出力が不一致検出状態に変化したとき、前記選局情報取得手段に対し新たな読み出しを指示して前記一連の処理を再び実行する制御手段とを備えたことを特徴とする視聴チャンネル判定装置。
【請求項２２】
前記選局情報取得手段の代わりに、読み出し指示に応答して、前記選局情報をデジタルインタフェースバスを通じて読み出して通知すると共に、以後周期的に前記選局情報をデジタルインタフェースバスを通じて読み出し、変化した選局情報を通知する選局情報取得手段を備え、
前記制御手段の代わりに、前記選局情報取得手段で取得された前記選局情報が何れかのデジタルチャンネルを示す場合には前記選局情報に基づいて視聴中のチャンネルを判定し、前記選局情報が何れのデジタルチャンネルも示さない場合には、アナログチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を行う制御手段であって、前記一連の処理で視聴中と判定したチャンネルを前記基準チューナに選局させて前記音声比較手段の出力を監視し、前記音声比較手段の出力が不一致検出状態に変化したときは前記選局情報取得手段に対し新たな読み出しを指示して前記一連の処理を再び実行し、前記音声比較手段の出力が不一致検出状態に変化する前に前記選局情報取得手段から変化した選局情報が通知されたときは前記一連の処理を再び実行する制御手段を備えたことを特徴とする請求項２１記載の視聴チャンネル判定装置。
【請求項２３】
それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの信号が出力されているか特定できないテレビジョン受像機で視聴中のチャンネルを判定する装置において、
前記選局情報を前記デジタルインタフェースバスを通じて周期的に読み出す選局情報取得手段と、
予め定められた複数のチャンネルのうち任意のチャンネルの音声信号を出力することができる基準チューナと、
前記テレビジョン受像機から出力される音声信号と前記基準チューナから出力される音声信号とが一致するか否かを検出する音声比較手段と、
前記選局情報取得手段で取得された前記選局情報が示すチャンネルおよび前記アナログチューナで選局可能なチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成する制御手段とを備えたことを特徴とする視聴チャンネル判定装置。
【請求項２４】
それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの信号が出力されているか特定できないテレビジョン受像機で視聴中のチャンネルを判定する装置において、
読み出し指示に応答して前記選局情報を前記デジタルインタフェースバスを通じて読み出す選局情報取得手段と、
予め定められた複数のチャンネルのうち任意のチャンネルの音声信号を出力することができる基準チューナと、
前記テレビジョン受像機から出力される音声信号と前記基準チューナから出力される音声信号とが一致するか否かを検出する音声比較手段と、
前記選局情報取得手段で取得された前記選局情報が示すチャンネルおよび前記アナログチューナで選局可能なチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を実行する制御手段であって、前記一連の処理で視聴中と判定したチャンネルを前記基準チューナに選局させている状態で前記音声比較手段の出力を監視し、前記音声比較手段の出力が不一致検出状態に変化したとき、前記選局情報取得手段に対し新たな読み出しを指示して前記一連の処理を再び実行する制御手段とを備えたことを特徴とする視聴チャンネル判定装置。
【請求項２５】
前記選局情報取得手段の代わりに、読み出し指示に応答して、前記選局情報をデジタルインタフェースバスを通じて読み出して通知すると共に、以後周期的に前記選局情報をデジタルインタフェースバスを通じて読み出し、変化した選局情報を通知する選局情報取得手段を備え、
前記制御手段の代わりに、前記選局情報取得手段で取得された前記選局情報が示すチャンネルおよび前記アナログチューナで選局可能なチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を実行する制御手段であって、前記一連の処理で視聴中と判定したチャンネルを前記基準チューナに選局させて前記音声比較手段の出力を監視し、前記音声比較手段の出力が不一致検出状態に変化したときは前記選局情報取得手段に対し新たな読み出しを指示して前記一連の処理を再び実行し、前記音声比較手段の出力が不一致検出状態に変化する前に前記選局情報取得手段から変化した選局情報が通知されたときは前記一連の処理を再び実行する制御手段を備えたことを特徴とする請求項２４記載の視聴チャンネル判定装置。
【請求項２６】
前記デジタルインタフェースバスにデジタル録画機器が接続されている場合に、前記デジタル録画機器の動作状態を前記デジタルインタフェースバスを通じて読み出し、前記視聴データに含める構成を有することを特徴とする請求項１４乃至２５の何れか１項に記載の視聴チャンネル判定装置。
【発明の詳細な説明】
【技術分野】
【０００１】
本発明はテレビジョン受像機で実際に視聴されているチャンネルを判定する視聴チャンネル判定方法及び装置に関する。
【背景技術】
【０００２】
テレビ視聴率を測定するためにサンプル世帯に設置されたテレビジョン受像機（以下、単にテレビと称す）で実際に視聴されているチャンネルを判定する方法として、従来より各種の方法が提案ないし実用化されているが、その方法の一つに、音声信号を利用する方法がある。これは、テレビで再生されている音声信号の特徴量と、別途設置した基準チューナで再生した音声信号の特徴量とを比較し、両者が一致するまで基準チューナのチャンネルを順次に変化させ、一致した際のチャンネルを視聴チャンネルと判定するものである。以下、この技術を第１の従来技術と言う。第１の従来技術を記載した文献として特許文献１がある。また、特許文献２には、カーラジオと基準ラジオ双方の音声信号の周波数スペクトルを比較することによって聴取率を測定する方法が記載されている。
【０００３】
テレビ視聴率を測定するためにサンプル世帯に設置されたテレビで実際に視聴されているチャンネルを判定する他の従来技術として、テレビの赤外線リモコンから出力される赤外線信号を受信して解析するモニタ装置をテレビの近傍に設置する技術がある。これは、リモコンから出力される赤外線信号はある程度周囲に拡散して伝搬するためにテレビの近傍であれば赤外線信号を傍受できることを利用したものである。以下、この技術を第２の従来技術と言う。第２の従来技術を記載した文献として特許文献３がある。
【０００４】
テレビ視聴率を測定するためにサンプル世帯に設置されたテレビで実際に視聴されているチャンネルを判定する更に別の技術として、音声信号を利用する方法にリモコン信号を活用した技術がある。これは、テレビで再生されている音声信号の特徴量と基準チューナで再生した音声信号の特徴量とが一致するまで基準チューナのチャンネルを変化させる際、リモコン信号を傍受して識別した切替先のチャンネルを最初に基準チューナに指定するものである。以下、この技術を第３の従来技術と言う。第３の従来技術を記載した文献として特許文献４がある。
【０００５】
以上、テレビ視聴率を測定するためにサンプル世帯に設置されたテレビで実際に視聴されているチャンネルを判定する従来技術を幾つか説明した。最近これらの技術とは別に、情報家電のネットワーク化というアプローチから、デジタルテレビに内蔵されたデジタルチューナで選局されているチャンネルの情報をデジタルインタフェースバスであるＩＥＥＥ１３９４バスを通じて外部から読み出せるようにした技術が開発されている。以下、この技術を第４の従来技術と言う。第４の従来技術を記載した文献として特許文献５がある。
【特許文献１】特開平１０−３０８７１１号公報
【特許文献２】特開平７−３２７０１７号公報
【特許文献３】特開平１１−２７５６０７号公報
【特許文献４】特開２００３−２４４７３０号公報
【特許文献５】特開２００２−４４０９５号公報
【発明の開示】
【発明が解決しようとする課題】
【０００６】
従来からの地上アナログ放送に加え、ＢＳデジタル放送が開始され、また地上デジタル放送もまもなく運用を開始する予定であり、本格的な多チャンネル化の時代を迎えつつある。これに伴い、地上アナログ放送に加えてＢＳデジタル放送等、複数種類の放送を１台で視聴できるテレビが開発され、一部は既に市販されている。このように１台のテレビで視聴できるチャンネル数が増加すると、判定対象となるチャンネル数が増える結果、上述した第１の従来技術では視聴チャンネルの判定にかなりの時間がかかるという課題がある。特に、デジタル放送では、音声はＭＰＥＧ−２のＡＡＣ(Advanced Audio Coding)でデコードするためアナログ放送に比べて復調に時間がかかり、より一層判定処理が遅延する。例えば、判定対象となるチャンネル数をｎ、１チャンネル当りの判定時間をｔとすると、第１の従来技術では、最悪時にはｎ×ｔの時間がかかり、平均でもその半分の時間がかかってしまう。
【０００７】
また、第２の従来技術では、赤外線リモコンの向き加減や遮蔽物の存在などによって、赤外線リモコンからの赤外線信号がテレビでのみ受信される場合があり、反対にモニタ装置でのみ受信される場合もあるため、モニタ装置で認識される視聴チャンネルとテレビで実際に視聴されているチャンネルとが一致しない状況が発生する確率が高い。また、モニタ装置で認識される視聴チャンネルがテレビで実際に視聴されているチャンネルと相違する事実は、一般にテレビを視聴している者に認識できないため、その食い違いを修正する機会がなく、誤った判定が長く継続されてしまうという課題がある。更に、リモコンを使わずにテレビ自体に配設されているチャンネル切替ボタンを使ってチャンネルが切り替えられた場合には、視聴チャンネルの判定は不可能である。
【０００８】
これらの第１及び第２の従来技術に比べ第３の従来技術によれば、リモコン信号を傍受して認識した視聴チャンネルとテレビで実際に視聴されているチャンネルとが一致する理想的な状況では、ほぼ１チャンネル当たりの判定時間内で視聴チャンネルを特定でき、リモコン信号がテレビでのみ受信されるなどして正確に傍受できない場合や、リモコンを使わずにテレビ自体に配設されているチャンネル切替ボタンを使ってチャンネルが切り替えられた場合であっても、視聴チャンネルの特定が可能である。しかし、その場合には第１の従来技術と同程度の処理時間がかかるため、特にアナログ放送に比べて復調に時間がかかるデジタル放送のチャンネル数が多いテレビの場合、視聴チャンネルの判定速度が極端に低下する。
【０００９】
他方、デジタルテレビに内蔵されたデジタルチューナで選局されているチャンネルの情報をＩＥＥＥ１３９４バスを通じて外部から読み出せるようにした第４の従来技術は、情報家電のネットワーク化を主眼として開発されたものであり、テレビ視聴率を測定するためにサンプル世帯に設置されたテレビで実際に視聴されているチャンネルを判定するために応用した事例は見当たらない。また、第４の従来技術ではアナログ放送の視聴チャンネルは特定できないし、ＩＥＥＥ１３９４のサポートレベルにより、実際の画面に映し出されていないにもかかわらず、最後に選局されたデジタル放送のチャンネルの選局情報が読み出されてしまう機種もあり、正確性が要求されるテレビ視聴率測定への適用に際しては解決すべき課題が多く残されている。
【００１０】
本発明はこのような事情に鑑みて提案されたものであり、その目的は、アナログ放送に比べて復調に時間がかかるデジタル放送を受信するテレビに特に好適な視聴チャンネル判定方法及び装置を提供することにある。
【００１１】
本発明の別の目的は、デジタル放送を受信するテレビで実際に視聴されているチャンネルを安定した速度で正確に判定できる視聴チャンネル判定方法及び装置を提供することにある。
【課題を解決するための手段】
【００１２】
本発明の第１の視聴チャンネル判定方法は、少なくとも１つのデジタルチューナを備え、前記デジタルチューナのチャンネルの選局情報をデジタルインタフェースバスを通じて外部から読み出せるテレビジョン受像機で視聴中のチャンネルを判定する方法において、ａ）前記選局情報を前記デジタルインタフェースバスを通じて周期的に読み出すステップ、ｂ）前記選局情報が読み出される毎に前記読み出された選局情報に基づいて視聴中チャンネルを判定し、視聴中チャンネルの情報と時刻情報とを含む視聴データを生成するステップ、を含むことを特徴とする。
【００１３】
本発明の第２の視聴チャンネル判定方法は、少なくとも１つのデジタルチューナを備え、前記デジタルチューナのチャンネルの選局情報をデジタルインタフェースバスを通じて外部から読み出せるテレビジョン受像機で視聴中のチャンネルを判定する方法において、ａ）前記選局情報を前記デジタルインタフェースバスを通じて読み出すステップ、ｂ）読み出された前記選局情報に基づいて視聴中チャンネルの情報と時刻情報とを含む視聴データを生成するステップ、ｃ）基準チューナに前記視聴中チャンネルを選局させ、前記テレビジョン受像機から出力される音声信号と前記基準チューナから出力される音声信号とを比較し、不一致を検出したときに前記ステップａに戻すステップ、を含むことを特徴とする。
【００１４】
本発明の第３の視聴チャンネル判定方法は、少なくとも１つのデジタルチューナを備え、前記デジタルチューナのチャンネルの選局情報をデジタルインタフェースバスを通じて外部から読み出せるテレビジョン受像機で視聴中のチャンネルを判定する方法において、ａ）前記選局情報を前記デジタルインタフェースバスを通じて読み出すステップ、ｂ）読み出された前記選局情報に基づいて視聴中チャンネルの情報と時刻情報とを含む視聴データを生成するステップ、ｃ）基準チューナに前記視聴中チャンネルを選局させ、前記テレビジョン受像機から出力される音声信号と前記基準チューナから出力される音声信号とを比較すると同時に、前記デジタルインタフェースバスを通じて前記選局情報を周期的に読み出して前記選局情報の変化を検出し、音声信号の不一致を検出したときに前記ステップａに戻し、前記選局情報の変化を検出したときに前記ステップｂに戻すステップ、
を含むことを特徴とする。
【００１５】
本発明の第４の視聴チャンネル判定方法は、２以上のデジタルチューナを備え、前記デジタルチューナのチャンネルの選局情報をデジタルインタフェースバスを通じて外部から読み出せるが、該読み出した選局情報からは何れの前記デジタルチューナの信号が出力されているか特定できないテレビジョン受像機で視聴中のチャンネルを判定する方法において、
ａ）前記選局情報を前記デジタルインタフェースバスを通じて周期的に読み出すステップ、
ｂ）前記選局情報が読み出される毎に、前記選局情報が示すチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、
を含むことを特徴とする。
【００１６】
本発明の第５の視聴チャンネル判定方法は、２以上のデジタルチューナを備え、前記デジタルチューナのチャンネルの選局情報をデジタルインタフェースバスを通じて外部から読み出せるが、該読み出した選局情報からは何れの前記デジタルチューナの信号が出力されているか特定できないテレビジョン受像機で視聴中のチャンネルを判定する方法において、ａ）前記選局情報を前記デジタルインタフェースバスを通じて読み出すステップ、ｂ）前記選局情報が示すチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、ｃ）前記基準チューナに前記視聴中チャンネルを選局させた状態で、前記テレビジョン受像機から出力される音声信号と前記基準チューナから出力される音声信号とを比較し、不一致が検出されたときに前記ステップａに戻すステップ、
を含むことを特徴とする。
【００１７】
本発明の第６の視聴チャンネル判定方法は、２以上のデジタルチューナを備え、前記デジタルチューナのチャンネルの選局情報をデジタルインタフェースバスを通じて外部から読み出せるが、該読み出した選局情報からは何れの前記デジタルチューナの信号が出力されているか特定できないテレビジョン受像機で視聴中のチャンネルを判定する方法において、ａ）前記選局情報を前記デジタルインタフェースバスを通じて読み出すステップ、ｂ）前記選局情報が示すチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、ｃ）前記基準チューナに前記視聴中チャンネルを選局させた状態で、前記テレビジョン受像機から出力される音声信号と前記基準チューナから出力される音声信号とを比較すると同時に、前記デジタルインタフェースバスを通じて前記選局情報を周期的に読み出して前記選局情報の変化を検出し、音声信号の不一致を検出したときに前記ステップａに戻し、前記選局情報の変化を検出したときに前記ステップｂに戻すステップ、を含むことを特徴とする。
【００１８】
本発明の第７の視聴チャンネル判定方法は、それぞれ少なくとも１つのデジタルチューナおよびアナログチューナを備え、前記デジタルチューナのチャンネルの選局情報をデジタルインタフェースバスを通じて外部から読み出せるテレビジョン受像機で視聴中のチャンネルを判定する方法において、ａ）前記選局情報を前記デジタルインタフェースバスを通じて周期的に読み出すステップ、ｂ）前記選局情報が読み出される毎に、前記選局情報が有効であれば前記選局情報が示すチャンネルを視聴中のチャンネルと判定し、前記選局情報が無効であれば、前記アナログチューナで選局可能なチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、を含むことを特徴とする。
【００１９】
本発明の第８の視聴チャンネル判定方法は、それぞれ少なくとも１つのデジタルチューナおよびアナログチューナを備え、前記デジタルチューナのチャンネルの選局情報をデジタルインタフェースバスを通じて外部から読み出せるテレビジョン受像機で視聴中のチャンネルを判定する方法において、ａ）前記選局情報を前記デジタルインタフェースバスを通じて読み出すステップ、ｂ）前記選局情報が有効であれば前記選局情報が示すチャンネルを視聴中のチャンネルと判定し、前記選局情報が無効であれば、前記アナログチューナで選局可能なチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、ｃ）前記基準チューナに前記視聴中チャンネルを選局させた状態で、前記テレビジョン受像機から出力される音声信号と前記基準チューナから出力される音声信号とを比較し、不一致が検出されたときに前記ステップａに戻すステップ、を含むことを特徴とする。
【００２０】
本発明の第９の視聴チャンネル判定方法は、それぞれ少なくとも１つのデジタルチューナおよびアナログチューナを備え、前記デジタルチューナのチャンネルの選局情報をデジタルインタフェースバスを通じて外部から読み出せるテレビジョン受像機で視聴中のチャンネルを判定する方法において、ａ）前記選局情報を前記デジタルインタフェースバスを通じて読み出すステップ、ｂ）前記選局情報が有効であれば前記選局情報が示すチャンネルを視聴中のチャンネルと判定し、前記選局情報が無効であれば、前記アナログチューナで選局可能なチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、ｃ）前記基準チューナに前記視聴中チャンネルを選局させた状態で、前記テレビジョン受像機から出力される音声信号と前記基準チューナから出力される音声信号とを比較すると同時に、前記デジタルインタフェースバスを通じて前記選局情報を周期的に読み出して前記選局情報の変化を検出し、音声信号の不一致を検出したときに前記ステップａに戻し、前記選局情報の変化を検出したときに前記ステップｂに戻すステップ、
を含むことを特徴とする。
【００２１】
本発明の第１０の視聴チャンネル判定方法は、それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの前記チューナの信号が出力されているか特定できないテレビジョン受像機で視聴中のチャンネルを判定する方法において、ａ）前記選局情報を前記デジタルインタフェースバスを通じて周期的に読み出すステップ、ｂ）前記選局情報が読み出される毎に、前記選局情報が示すチャンネルおよび前記アナログチューナで選局可能なチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、を含むことを特徴とする。
【００２２】
本発明の第１１の視聴チャンネル判定方法は、それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの前記チューナの信号が出力されているか特定できないテレビジョン受像機で視聴中のチャンネルを判定する方法において、ａ）前記選局情報を前記デジタルインタフェースバスを通じて読み出すステップ、ｂ）前記選局情報が示すチャンネルおよび前記アナログチューナで選局可能なチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、ｃ）前記基準チューナに前記視聴中チャンネルを選局させた状態で、前記テレビジョン受像機から出力される音声信号と前記基準チューナから出力される音声信号とを比較し、不一致が検出されたときに前記ステップａに戻すステップ、を含むことを特徴とする。
【００２３】
本発明の第１２の視聴チャンネル判定方法は、それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの前記チューナの信号が出力されているか特定できないテレビジョン受像機で視聴中のチャンネルを判定する方法において、ａ）前記選局情報を前記デジタルインタフェースバスを通じて読み出すステップ、ｂ）前記選局情報が示すチャンネルおよび前記アナログチューナで選局可能なチャンネルを１チャンネルずつ順に基準チューナに選局させ、前記テレビジョン受像機から出力される音声信号と前記基準チューナから出力される音声信号とが一致するに至ったチャンネルを視聴中のチャンネルと判定し、視聴中チャンネルの情報と時刻情報とを含む視聴データを生成するステップ、ｃ）前記基準チューナに前記視聴中チャンネルを選局させた状態で、前記テレビジョン受像機から出力される音声信号と前記基準チューナから出力される音声信号とを比較すると同時に、前記デジタルインタフェースバスを通じて前記選局情報を周期的に読み出して前記選局情報の変化を検出し、音声信号の不一致を検出したときに前記ステップａに戻し、前記選局情報の変化を検出したときに前記ステップｂに戻すステップ、を含むことを特徴とする。
【００２４】
本発明の第１３の視聴チャンネル判定方法は、第１乃至第１２の視聴チャンネル判定方法において、前記デジタルインタフェースバスにデジタル録画機器が接続されている場合に、前記デジタル録画機器の動作状態を前記デジタルインタフェースバスを通じて読み出し、前記視聴データに含めることを特徴とする。
【００２５】
本発明の第１の視聴チャンネル判定装置は、少なくとも１つのデジタルチューナを備え、前記デジタルチューナのチャンネルの選局情報をデジタルインタフェースバスを通じて外部から読み出せるテレビジョン受像機で視聴中のチャンネルを判定する装置において、前記選局情報を前記デジタルインタフェースバスを通じて周期的に読み出す選局情報取得手段と、前記選局情報取得手段によって読み出された選局情報に基づいて視聴中チャンネルの情報と時刻情報とを含む視聴データを生成する制御手段とを備えたことを特徴とする。
【００２６】
本発明の第２の視聴チャンネル判定装置は、少なくとも１つのデジタルチューナを備え、前記デジタルチューナのチャンネルの選局情報をデジタルインタフェースバスを通じて外部から読み出せるテレビジョン受像機で視聴中のチャンネルを判定する装置において、読み出し指示に応答して前記選局情報を前記デジタルインタフェースバスを通じて読み出す選局情報取得手段と、予め定められた複数のチャンネルのうち任意のチャンネルの音声信号を出力することができる基準チューナと、前記テレビジョン受像機から出力される音声信号と前記基準チューナから出力される音声信号とが一致するか否かを検出する音声比較手段と、前記選局情報取得手段によって読み出された前記選局情報に基づいて視聴中チャンネルの情報と時刻情報とを含む視聴データを生成する一連の処理を実行する制御手段であって、前記一連の処理で視聴中と判定したチャンネルを前記基準チューナに選局させて前記音声比較手段の出力を監視し、前記音声比較手段の出力が不一致検出状態に変化したとき、前記選局情報取得手段に対し新たな読み出しを指示して前記一連の処理を再び実行する制御手段とを備えたことを特徴とする。
【００２７】
本発明の第３の視聴チャンネル判定装置は、少なくとも１つのデジタルチューナを備え、前記デジタルチューナのチャンネルの選局情報をデジタルインタフェースバスを通じて外部から読み出せるテレビジョン受像機で視聴中のチャンネルを判定する装置において、読み出し指示に応答して、前記選局情報をデジタルインタフェースバスを通じて読み出して通知すると共に、以後周期的に前記選局情報をデジタルインタフェースバスを通じて読み出し、変化した選局情報を通知する選局情報取得手段と、予め定められた複数のチャンネルのうち任意のチャンネルの音声信号を出力することができる基準チューナと、前記テレビジョン受像機から出力される音声信号と前記基準チューナから出力される音声信号とが一致するか否かを検出する音声比較手段と、前記選局情報取得手段によって読み出された前記選局情報に基づいて視聴中チャンネルの情報と時刻情報とを含む視聴データを生成する一連の処理を実行する制御手段であって、前記一連の処理で視聴中と判定したチャンネルを前記基準チューナに選局させて前記音声比較手段の出力を監視し、前記音声比較手段の出力が不一致検出状態に変化したときは前記選局情報取得手段に対し新たな読み出しを指示して前記一連の処理を再び実行し、前記音声比較手段の出力が不一致検出状態に変化する前に前記選局情報取得手段から変化した選局情報が通知されたときは前記一連の処理を再び実行する制御手段とを備えたことを特徴とする。
【００２８】
本発明の第４の視聴チャンネル判定装置は、２以上のデジタルチューナを備え、前記デジタルチューナのチャンネルの選局情報をデジタルインタフェースバスを通じて外部から読み出せるが、該読み出した選局情報からは何れの信号が出力されているか特定できないテレビジョン受像機で視聴中のチャンネルを判定する装置において、前記選局情報を前記デジタルインタフェースバスを通じて周期的に読み出す選局情報取得手段と、予め定められた複数のチャンネルのうち任意のチャンネルの音声信号を出力することができる基準チューナと、前記テレビジョン受像機から出力される音声信号と前記基準チューナから出力される音声信号とが一致するか否かを検出する音声比較手段と、前記選局情報取得手段で取得された前記選局情報が示すチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成する制御手段とを備えたことを特徴とする。
【００２９】
本発明の第５の視聴チャンネル判定装置は、２以上のデジタルチューナを備え、前記デジタルチューナのチャンネルの選局情報をデジタルインタフェースバスを通じて外部から読み出せるが、該読み出した選局情報からは何れの信号が出力されているか特定できないテレビジョン受像機で視聴中のチャンネルを判定する装置において、読み出し指示に応答して前記選局情報を前記デジタルインタフェースバスを通じて読み出す選局情報取得手段と、予め定められた複数のチャンネルのうち任意のチャンネルの音声信号を出力することができる基準チューナと、前記テレビジョン受像機から出力される音声信号と前記基準チューナから出力される音声信号とが一致するか否かを検出する音声比較手段と、前記選局情報取得手段で取得された前記選局情報が示すチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を実行する制御手段であって、前記一連の処理で視聴中と判定したチャンネルを前記基準チューナに選局させている状態で前記音声比較手段の出力を監視し、前記音声比較手段の出力が不一致検出状態に変化したとき、前記選局情報取得手段に対し新たな読み出しを指示して前記一連の処理を再び実行する制御手段とを備えたことを特徴とする。
【００３０】
本発明の第６の視聴チャンネル判定装置は、２以上のデジタルチューナを備え、前記デジタルチューナのチャンネルの選局情報をデジタルインタフェースバスを通じて外部から読み出せるが、該読み出した選局情報からは何れの信号が出力されているか特定できないテレビジョン受像機で視聴中のチャンネルを判定する装置において、読み出し指示に応答して、前記選局情報をデジタルインタフェースバスを通じて読み出して通知すると共に、以後周期的に前記選局情報をデジタルインタフェースバスを通じて読み出し、変化した選局情報を通知する選局情報取得手段と、予め定められた複数のチャンネルのうち任意のチャンネルの音声信号を出力することができる基準チューナと、前記テレビジョン受像機から出力される音声信号と前記基準チューナから出力される音声信号とが一致するか否かを検出する音声比較手段と、前記選局情報取得手段で取得された前記選局情報が示すチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を実行する制御手段であって、前記一連の処理で視聴中と判定したチャンネルを前記基準チューナに選局させて前記音声比較手段の出力を監視し、前記音声比較手段の出力が不一致検出状態に変化したときは前記選局情報取得手段に対し新たな読み出しを指示して前記一連の処理を再び実行し、前記音声比較手段の出力が不一致検出状態に変化する前に前記選局情報取得手段から変化した選局情報が通知されたときは前記一連の処理を再び実行する制御手段とを備えたことを特徴とする。
【００３１】
本発明の第７の視聴チャンネル判定装置は、それぞれ少なくとも１つのデジタルチューナおよびアナログチューナを備え、前記デジタルチューナのチャンネルの選局情報をデジタルインタフェースバスを通じて外部から読み出せるテレビジョン受像機で視聴中のチャンネルを判定する装置において、前記選局情報を前記デジタルインタフェースバスを通じて周期的に読み出す選局情報取得手段と、予め定められた複数のチャンネルのうち任意のチャンネルの音声信号を出力することができる基準チューナと、前記テレビジョン受像機から出力される音声信号と前記基準チューナから出力される音声信号とが一致するか否かを検出する音声比較手段と、前記選局情報取得手段で取得された前記選局情報が何れかのデジタルチャンネルを示す場合には前記選局情報に基づいて視聴中のチャンネルを判定し、前記選局情報が何れのデジタルチャンネルも示さない場合には、アナログチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成する制御手段とを備えたことを特徴とする。
【００３２】
本発明の第８の視聴チャンネル判定装置は、それぞれ少なくとも１つのデジタルチューナおよびアナログチューナを備え、前記デジタルチューナのチャンネルの選局情報をデジタルインタフェースバスを通じて外部から読み出せるテレビジョン受像機で視聴中のチャンネルを判定する装置において、読み出し指示に応答して前記選局情報を前記デジタルインタフェースバスを通じて読み出す選局情報取得手段と、予め定められた複数のチャンネルのうち任意のチャンネルの音声信号を出力することができる基準チューナと、前記テレビジョン受像機から出力される音声信号と前記基準チューナから出力される音声信号とが一致するか否かを検出する音声比較手段と、前記選局情報取得手段で取得された前記選局情報が何れかのデジタルチャンネルを示す場合には前記選局情報に基づいて視聴中のチャンネルを判定し、前記選局情報が何れのデジタルチャンネルも示さない場合には、アナログチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を実行する制御手段であって、前記一連の処理で視聴中と判定したチャンネルを前記基準チューナに選局させている状態で前記音声比較手段の出力を監視し、前記音声比較手段の出力が不一致検出状態に変化したとき、前記選局情報取得手段に対し新たな読み出しを指示して前記一連の処理を再び実行する制御手段とを備えたことを特徴とする。
【００３３】
本発明の第９の視聴チャンネル判定装置は、それぞれ少なくとも１つのデジタルチューナおよびアナログチューナを備え、前記デジタルチューナのチャンネルの選局情報をデジタルインタフェースバスを通じて外部から読み出せるテレビジョン受像機で視聴中のチャンネルを判定する装置において、読み出し指示に応答して、前記選局情報をデジタルインタフェースバスを通じて読み出して通知すると共に、以後周期的に前記選局情報をデジタルインタフェースバスを通じて読み出し、変化した選局情報を通知する選局情報取得手段と、予め定められた複数のチャンネルのうち任意のチャンネルの音声信号を出力することができる基準チューナと、前記テレビジョン受像機から出力される音声信号と前記基準チューナから出力される音声信号とが一致するか否かを検出する音声比較手段と、前記選局情報取得手段で取得された前記選局情報が何れかのデジタルチャンネルを示す場合には前記選局情報に基づいて視聴中のチャンネルを判定し、前記選局情報が何れのデジタルチャンネルも示さない場合には、アナログチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を行う制御手段であって、前記一連の処理で視聴中と判定したチャンネルを前記基準チューナに選局させて前記音声比較手段の出力を監視し、前記音声比較手段の出力が不一致検出状態に変化したときは前記選局情報取得手段に対し新たな読み出しを指示して前記一連の処理を再び実行し、前記音声比較手段の出力が不一致検出状態に変化する前に前記選局情報取得手段から変化した選局情報が通知されたときは前記一連の処理を再び実行する制御手段とを備えたことを特徴とする。
【００３４】
本発明の第１０の視聴チャンネル判定装置は、それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの信号が出力されているか特定できないテレビジョン受像機で視聴中のチャンネルを判定する装置において、前記選局情報を前記デジタルインタフェースバスを通じて周期的に読み出す選局情報取得手段と、予め定められた複数のチャンネルのうち任意のチャンネルの音声信号を出力することができる基準チューナと、前記テレビジョン受像機から出力される音声信号と前記基準チューナから出力される音声信号とが一致するか否かを検出する音声比較手段と、前記選局情報取得手段で取得された前記選局情報が示すチャンネルおよび前記アナログチューナで選局可能なチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成する制御手段とを備えたことを特徴とする。
【００３５】
本発明の第１１の視聴チャンネル判定装置は、それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの信号が出力されているか特定できないテレビジョン受像機で視聴中のチャンネルを判定する装置において、読み出し指示に応答して前記選局情報を前記デジタルインタフェースバスを通じて読み出す選局情報取得手段と、予め定められた複数のチャンネルのうち任意のチャンネルの音声信号を出力することができる基準チューナと、前記テレビジョン受像機から出力される音声信号と前記基準チューナから出力される音声信号とが一致するか否かを検出する音声比較手段と、前記選局情報取得手段で取得された前記選局情報が示すチャンネルおよび前記アナログチューナで選局可能なチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を実行する制御手段であって、前記一連の処理で視聴中と判定したチャンネルを前記基準チューナに選局させている状態で前記音声比較手段の出力を監視し、前記音声比較手段の出力が不一致検出状態に変化したとき、前記選局情報取得手段に対し新たな読み出しを指示して前記一連の処理を再び実行する制御手段とを備えたことを特徴とする。
【００３６】
本発明の第１２の視聴チャンネル判定装置は、それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの信号が出力されているか特定できないテレビジョン受像機で視聴中のチャンネルを判定する装置において、読み出し指示に応答して、前記選局情報をデジタルインタフェースバスを通じて読み出して通知すると共に、以後周期的に前記選局情報をデジタルインタフェースバスを通じて読み出し、変化した選局情報を通知する選局情報取得手段と、予め定められた複数のチャンネルのうち任意のチャンネルの音声信号を出力することができる基準チューナと、前記テレビジョン受像機から出力される音声信号と前記基準チューナから出力される音声信号とが一致するか否かを検出する音声比較手段と、前記選局情報取得手段で取得された前記選局情報が示すチャンネルおよび前記アナログチューナで選局可能なチャンネルを１チャンネルずつ順に前記基準チューナに選局させていって前記音声比較手段の出力が一致検出状態を示すに至ったチャンネルを視聴中のチャンネルと判定し、視聴中チャンネルの情報と時刻情報とを含む視聴データを生成するという一連の処理を実行する制御手段であって、前記一連の処理で視聴中と判定したチャンネルを前記基準チューナに選局させて前記音声比較手段の出力を監視し、前記音声比較手段の出力が不一致検出状態に変化したときは前記選局情報取得手段に対し新たな読み出しを指示して前記一連の処理を再び実行し、前記音声比較手段の出力が不一致検出状態に変化する前に前記選局情報取得手段から変化した選局情報が通知されたときは前記一連の処理を再び実行する制御手段とを備えたことを特徴とする。
【００３７】
本発明の第１３の視聴チャンネル判定装置は、第１乃至第１２の視聴チャンネル判定装置において、前記デジタルインタフェースバスにデジタル録画機器が接続されている場合に、前記デジタル録画機器の動作状態を前記デジタルインタフェースバスを通じて読み出し、前記視聴データに含める構成を有することを特徴とする。
【発明の効果】
【００３８】
本発明の第１の視聴チャンネル判定方法及び装置によれば、ディスプレイおよびスピーカに映像および音声信号が出力されているデジタルチューナのチャンネルの選局情報をデジタルインタフェースバスを通じて周期的に読み出すことで、視聴チャンネルを高速かつ正確に判定することができる。
【００３９】
本発明の第２の視聴チャンネル判定方法及び装置によれば、少なくとも１つのデジタルチューナを備え、ディスプレイおよびスピーカに映像および音声信号が出力されているデジタルチューナのチャンネルの選局情報をデジタルインタフェースバスを通じて外部から読み出せるテレビにおいて、デジタルインタフェースバスのトラフィックをむやみに増大させることなく実際に視聴されているチャンネルを高速かつ正確に判定することができる。
【００４０】
本発明の第３の視聴チャンネル判定方法及び装置によれば、少なくとも１つのデジタルチューナを備え、ディスプレイおよびスピーカに映像および音声信号が出力されているデジタルチューナのチャンネルの選局情報をデジタルインタフェースバスを通じて外部から読み出せるテレビにおいて、音声比較による不一致と選局情報の変化との双方の事象をチャンネルの切替え契機として切替え先の視聴チャンネルを特定するため、より迅速かつ正確に視聴チャンネルを特定することができる。
【００４１】
本発明の第４の視聴チャンネル判定方法及び装置によれば、２以上のデジタルチューナを備え、前記デジタルチューナのチャンネルの選局情報をデジタルインタフェースバスを通じて外部から読み出せるが、該読み出した選局情報からは何れの前記デジタルチューナの映像および音声信号がディスプレイおよびスピーカに出力されているか特定できないテレビであっても、実際に視聴されているチャンネルを音声比較による方法で一定周期毎に高速かつ正確に判定することができる。
【００４２】
本発明の第５の視聴チャンネル判定方法及び装置によれば、２以上のデジタルチューナを備え、前記デジタルチューナのチャンネルの選局情報をデジタルインタフェースバスを通じて外部から読み出せるが、該読み出した選局情報からは何れの前記デジタルチューナの映像および音声信号がディスプレイおよびスピーカに出力されているか特定できないテレビにおいて、実際に視聴されているチャンネルを音声比較による方法で高速かつ正確に判定することができ、且つ、デジタルインタフェースバスのトラフィックをむやみに増大させることがない。
【００４３】
本発明の第６の視聴チャンネル判定方法及び装置によれば、２以上のデジタルチューナを備え、前記デジタルチューナのチャンネルの選局情報をデジタルインタフェースバスを通じて外部から読み出せるが、該読み出した選局情報からは何れの前記デジタルチューナの映像および音声信号がディスプレイおよびスピーカに出力されているか特定できないテレビにおいて、実際に視聴されているチャンネルを音声比較による方法で高速かつ正確に判定することができ、且つ、音声比較による不一致と選局情報の変化との双方の事象をチャンネルの切替え契機として切替え先の視聴チャンネルを特定するため、より迅速かつ正確に視聴チャンネルを特定することができる。
【００４４】
本発明の第７の視聴チャンネル判定方法及び装置によれば、それぞれ少なくとも１つのデジタルチューナおよびアナログチューナを備え、ディスプレイおよびスピーカに映像および音声信号が出力されている前記デジタルチューナのチャンネルの選局情報をデジタルインタフェースバスを通じて外部から読み出せるテレビにおいて、実際に視聴されているチャンネルを、デジタル放送の場合には選局情報に基づいて、アナログ放送の場合には音声比較による方法で、一定周期毎に高速かつ正確に判定することができる。
【００４５】
本発明の第８の視聴チャンネル判定方法及び装置によれば、それぞれ少なくとも１つのデジタルチューナおよびアナログチューナを備え、ディスプレイおよびスピーカに映像および音声信号が出力されている前記デジタルチューナのチャンネルの選局情報をデジタルインタフェースバスを通じて外部から読み出せるテレビにおいて、実際に視聴されているチャンネルを、デジタル放送の場合には選局情報に基づいて、アナログ放送の場合には音声比較による方法で高速かつ正確に判定することができ、且つ、デジタルインタフェースバスのトラフィックをむやみに増大させることがない。
【００４６】
本発明の第９の視聴チャンネル判定方法及び装置によれば、それぞれ少なくとも１つのデジタルチューナおよびアナログチューナを備え、ディスプレイおよびスピーカに映像および音声信号が出力されている前記デジタルチューナのチャンネルの選局情報をデジタルインタフェースバスを通じて外部から読み出せるテレビにおいて、実際に視聴されているチャンネルを、デジタル放送の場合には選局情報に基づいて、アナログ放送の場合には音声比較による方法で高速かつ正確に判定することができ、且つ、音声比較による不一致と選局情報の変化との双方の事象をチャンネルの切替え契機として切替え先の視聴チャンネルを特定するため、より迅速かつ正確に視聴チャンネルを特定することができる。
【００４７】
本発明の第１０の視聴チャンネル判定方法及び装置によれば、それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの前記チューナの映像および音声信号がディスプレイおよびスピーカに出力されているか特定できないテレビにおいて、実際に視聴されているチャンネルを、デジタル放送については選局情報によって絞り込まれたチャンネルだけを対象として、音声比較による方法で一定周期毎に高速かつ正確に判定することができる。
【００４８】
本発明の第１１の視聴チャンネル判定方法及び装置によれば、それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの前記チューナの映像および音声信号がディスプレイおよびスピーカに出力されているか特定できないテレビにおいて、実際に視聴されているチャンネルを、デジタル放送については選局情報によって絞り込まれたチャンネルだけを対象として、音声比較による方法で一定周期毎に高速かつ正確に判定することができ、且つ、デジタルインタフェースバスのトラフィックをむやみに増大させることがない。
【００４９】
本発明の第１２の視聴チャンネル判定方法及び装置によれば、それぞれ少なくとも１つのデジタルチューナおよびアナログチューナを備え、前記デジタルチューナのチャンネルの選局情報をデジタルインタフェースバスを通じて外部から読み出せるが、該読み出した選局情報からは何れの前記チューナの映像および音声信号がディスプレイおよびスピーカに出力されているか特定できないテレビにおいて、実際に視聴されているチャンネルを、デジタル放送については選局情報によって絞り込まれたチャンネルだけを対象として、音声比較による方法で一定周期毎に高速かつ正確に判定することができ、且つ、音声比較による不一致と選局情報の変化との双方の事象をチャンネルの切替え契機として切替え先の視聴チャンネルを特定するため、より迅速かつ正確に視聴チャンネルを特定することができる。
【００５０】
本発明の第１３の視聴チャンネル判定方法及び装置によれば、デジタル録画機器の動作状態も簡単かつ正確に検出して視聴データに含めることができる。
【発明を実施するための最良の形態】
【００５１】
[第１の実施の形態]
図１を参照すると、本発明の第１の実施の形態にかかる測定装置２は、調査対象者の所有にかかるテレビ１とデジタルインタフェースバス３によって接続されている。ここで、デジタルインタフェースバス３はＩＥＥＥ１３９４バスである。
【００５２】
テレビ１は、内部チューナとして少なくとも１つのデジタルチューナ１１を備え、このデジタルチューナ１１はＩＥＥＥ１３９４通信部１２を介してデジタルインタフェースバス３に接続されている。ＩＥＥＥ１３９４通信部１２は、デジタルインタフェースバス３を介して入力されるパケットを復調し、復調したパケットに含まれるデータを抽出してデジタルチューナ１１を構成する図示しない制御部（ＭＰＵ）に出力すると共に、デジタルチューナ１１の制御部から入力したデータをパケット化し、そのパケットを変調してデジタルインタフェースバス３を通じて測定装置２に送信する機能を持つ。
【００５３】
本実施の形態にかかるテレビ１の場合、図示しないディスプレイおよびスピーカに映像および音声信号が出力されているデジタルチューナ１１のチャンネルの選局情報が、デジタルインタフェースバス３を通じて外部から読み出せるようになっている。デジタルチューナ１１のチャンネルの選局情報は、ネットワークＩＤとサービスＩＤとで構成される。ネットワークＩＤとはネットワーク識別子であり、各送出マスタ毎に１つ割り当てられている。日本で言えば、ＢＳデジタル、プラットワン、スカパー２などにそれぞれ１つ割り当てられている。また、地上デジタル放送では各放送局単位に１つ割り当てられている。他方、サービスＩＤは、同じネットワーク内で個々のサービスを識別する識別子である。従って、ネットワークＩＤおよびサービスＩＤが決まるとチャンネルが一意に定まる。ここで、ネットワークＩＤおよびサービスＩＤが割り当てられるチャンネルは、映像と音声を提供するチャンネルだけでなく、デジタル情報を提供するデータ放送専門のチャンネル（独立データ放送チャンネル）も含まれる。また、データ放送には独立データ放送以外に、番組連動データ放送がある。この番組連動データ放送の中で、番組の映像を画面にフル表示している状態と、番組の映像を小画面に表示し併せてデータ放送画面を表示している状態とでサービスＩＤが異なるものについては、サービスＩＤによって番組連動データ放送を視聴しているか否かの特定も可能である。
【００５４】
測定装置２は、テレビ１とデジタルインタフェースバス３で接続されると同時に、測定した調査データを図示しないセンタに送信するために通信ケーブル４によって電話回線などに接続されている。測定装置２内には、制御部２１、選局情報取得部２２、送信部２３、記憶部２４、タイマ２５、ＩＥＥＥ１３９４通信部２６および選局情報用のレジスタ２７が設けられている。
【００５５】
ＩＥＥＥ１３９４通信部２６は、デジタルインタフェースバス３を介して入力されるパケットを復調し、復調したパケットに含まれるデータを抽出して選局情報取得部２２に出力すると共に、選局情報取得部２２から入力したデータをパケット化し、そのパケットを変調してデジタルインタフェースバス３を通じてテレビ１に送信する機能を持つ。
【００５６】
選局情報取得部２２は、タイマ２５で規定される一定周期毎に、デジタルチューナ１１のチャンネルの選局情報をデジタルインタフェースバス３を通じて読み出す機能を持つ。選局情報取得部２２は、読み出した選局情報をレジスタ２７に設定し、読み出し完了通知２２ａを制御部２１に送出する。選局情報取得部２２は、例えばＭＰＵおよび制御プログラムで実現される。
【００５７】
記憶部２４は、測定装置２で測定された視聴データを一時的に記憶したり、測定装置２で必要な各種の設定情報を記憶しておくために使われる。
【００５８】
送信部２３は、記憶部２４に記憶された視聴データを予め定められた時刻に図示しないセンタへ送信するユニットである。
【００５９】
制御部２１は、選局情報取得部２２によって読み出された選局情報に基づいて視聴中チャンネルの情報と時刻情報とを含む視聴データを生成し、記憶部２４に記憶するといった一連の処理を実行するユニットである。制御部２１は、例えばＭＰＵおよび制御プログラムで実現される。
【００６０】
次に本実施の形態にかかる測定装置２の動作を説明する。
【００６１】
測定装置２は、選局情報取得部２２により図２（ａ）に示す処理を実行し、制御部２１により図２（ｂ）に示す処理を実行する。
【００６２】
選局情報取得部２２による処理では、先ずタイマ２５を起動し（Ｓ１００）、ＩＥＥＥ１３９４通信部２６によりデジタルインタフェースバス３を通じてデジタルチューナ１１のチャンネルの選局情報を読み出し（Ｓ１０１）、読み出した選局情報をレジスタ２７にセットし（Ｓ１０２）、読み出し完了通知２２ａを制御部２１に送出する（Ｓ１０３）。そして、タイマ２５がタイムアウトするのを待ち（Ｓ１０４）、タイムアウトすればステップＳ１００に戻って上述と同様の処理を繰り返す。ステップＳ１０１の処理の詳細については後述する。
【００６３】
制御部２１による図２（ｂ）の処理は、選局情報取得部２２から読み出し完了通知２２ａが出される毎に実行される。先ずレジスタ２７に保持された選局情報を読み出し（Ｓ１１０）、この読み出した選局情報に含まれるネットワークＩＤおよびサービスＩＤで特定される視聴中チャンネルが、記憶部２４に記憶されている前回保存した視聴データの視聴中チャンネルと同じかどうかを判別し（ステップＳ１１１）、同じであれば今回の一連の処理を終了する。同じでなければ、レジスタ２７から読み取った選局情報と制御部２１に内蔵された計時機能が示す現在時刻とを含む視聴データを作成し（ステップＳ１１２）、この作成した視聴データを記憶部２４に記憶する（ステップＳ１１３）。
【００６４】
次に選局情報取得部２２がデジタルインタフェースバス３を通じてデジタルチューナ１１におけるチャンネルの選局情報を取得する動作の詳細を説明する。
【００６５】
本実施の形態においては、ディスクリプタメカニズムを使って、デジタルチューナ１１におけるチャンネルの選局情報をデジタルインタフェースバス３を通じて読み出す。ディスクリプタメカニズムは、２つの要素からなる。１つは、ターゲット機器（本例ではデジタルチューナ１１）上の仮想的なメモリ空間の構造体を表現するディスクリプタであり、もう１つは、そのディスクリプタに対して読み書きの制御を行うアクセスメカニズムである。
【００６６】
デジタルチューナ１１のディスクリプタであるチューナ・ステータス・ディスクリプタ１１ａの一例を図３（ａ）に示す。この例では、デジタルチューナ１１の選局情報を構成するネットワークＩＤは、ディスクリプタ１１ａのアドレス２Ｆｈおよび３０ｈに記述するものとされており、サービスＩＤはディスクリプタ１１ａのアドレス３３ｈおよび３４ｈに記述するものとされている。
【００６７】
ディスクリプタ１１ａの読み取りは、ＩＥＥＥ１３９４などのネットワークで繋がったＡＶ機器をリモートで制御するために開発されたコマンドセットであるＡＶ／Ｃコマンドを使用し、図３（ｂ）に示す手順で行う。先ず、選局情報取得部２２は、オープン・ディスクリプタ・コマンドをＩＥＥＥ１３９４通信部２６およびデジタルインタフェースバス３を通じてテレビ１のＩＥＥＥ１３９４通信部１２に送信する（Ｓ１２１）。オープン・ディスクリプタ・コマンドをＩＥＥＥ１３９４通信部１２を通じて受信したデジタルチューナ１１は、受付可能であれば、オープンを許可する旨のレスポンスをデジタルインタフェースバス３経由で選局情報取得部２２に通知する（Ｓ１２２、Ｓ１２３）。
【００６８】
ディスクリプタ１１ａのオープンに成功した選局情報取得部２２は、デジタルインタフェースバス３を通じて、ディスクリプタ・リード・コマンドをテレビ１のＩＥＥＥ１３９４通信部１２に送信する（Ｓ１２４、Ｓ１２５）。デジタルチューナ１１は、このリード要求に対するレスポンスとして、ディスクリプタ１１ａの内容をデジタルインタフェースバス３を通じて送り返す（Ｓ１２６、Ｓ１２７）。ディスクリプタ１１ａを受信した選局情報取得部２２は、ディスクリプタ１１ａのアドレス２Ｆｈおよび３０ｈ、３３ｈおよび３４ｈからデータを抽出することにより、ネットワークＩＤおよびサービスＩＤを読み出すことができる（Ｓ１２８）。その後、選局情報取得部２２はクローズ・コマンドでディスクリプタ１１ａのクローズを要求し、デジタルチューナ１１はディスクリプタ１１ａをクローズし、そのレスポンスを選局情報取得部２２に返す（Ｓ１２９〜１３２）。
【００６９】
このように本実施の形態によれば、ディスプレイおよびスピーカに映像および音声信号が出力されているデジタルチューナ１１のチャンネルの選局情報をデジタルインタフェースバス３を通じて周期的に読み出すことで、視聴チャンネルを一定周期毎に高速かつ正確に判定することができる。従って、タイマ２５の一定周期を数秒ないし数十秒に設定しておけば、その間隔で視聴チャンネルを正確に判定することが可能となる。
【００７０】
[第２の実施の形態]
図４を参照すると、本発明の第２の実施の形態にかかる測定装置２は、図１に示した第１の実施の形態にかかる測定装置２と比較して、音声ケーブル５を通じてテレビ１のスピーカ出力端子１３に接続されている点、基準チューナ２８および音声比較部２９を備えている点、制御部２１および選局情報取得部２２の動作が相違する点で相違しており、その他の点は第１の実施の形態と同じである。
【００７１】
基準チューナ２８は、テレビ１に内蔵されたデジタルチューナ１１とは独立に、デジタルチューナ１１と同じデジタル放送を測定装置２側で受信復調するユニットであり、制御線３０を通じて制御部２１に接続され、信号線３１を通じて音声比較部２９に接続されている。基準チューナ２８は、制御部２１から選局すべきチャンネルの指定情報を制御線３０を通じて受信すると、この指定情報で指定されたチャンネルを選局し、そのチャンネルの少なくとも音声信号を復調して信号線３１を通じて音声比較部２９に出力する。
【００７２】
音声比較部２９は、音声ケーブル５を通じてテレビ１のスピーカ出力端子１３から入力した音声信号の特徴量と、信号線３１を通じて基準チューナ２８から入力した音声信号の特徴量とを求め、双方の特徴量の類似度を判定することにより、テレビ１から出ている音声が基準チューナ２８から出ている音声と一致するか否かを検出する。音声比較部２９の検出結果は、信号線３２を通じて制御部２１へ通知される。音声比較部２９は、音声信号の特徴量として周波数スペクトル構造を用いる。
【００７３】
図５を参照すると、音声比較部２９は、音声ケーブル５を通じてテレビ１のスピーカ出力端子１３から入力した音声信号に対して高速フーリエ変換を行い、得られた特徴量を出力するＦＦＴ演算器２９１と、信号線３１を通じて基準チューナ２８から入力した音声信号に対して高速フーリエ変換を行い、得られた特徴量を出力するＦＦＴ演算器２９２と、ＦＦＴ演算器２９１から出力された特徴量とＦＦＴ演算器２９２から出力された特徴量との類似度を求め、その類似度が予め定められた閾値以上である場合、一致を示す比較結果を信号線３２を通じて制御部２１に出力し、それ以外は不一致を示す比較結果を信号線３２を通じて制御部２１に出力する演算結果比較器２９３とを備えている。なお、ステレオ放送の場合、左右の音声チャンネルのうち同じ側のチャンネル同士の特徴量を比較する。
【００７４】
次に本実施の形態にかかる測定装置２の動作を説明する。
【００７５】
測定装置２は、選局情報取得部２２により図６（ａ）に示す処理を実行し、制御部２１により図６（ｂ）に示す処理を実行する。
【００７６】
選局情報取得部２２による処理は、制御部２１から選局情報の読み出し指示２１ａを受信する毎に実行される。選局情報取得部２２は、制御部２１から選局情報の読み出し指示２１ａを受信すると、ＩＥＥＥ１３９４通信部２６によりデジタルインタフェースバス３を通じてデジタルチューナ１１のチャンネルの選局情報を読み出し（Ｓ２００）、読み出した選局情報をレジスタ２７にセットし（Ｓ２０１）、読み出し完了通知２２ａを制御部２１に送出する（Ｓ２０２）。
【００７７】
制御部２１による処理では、選局情報の読み出し指示２１ａを制御部２１から選局情報取得部２２に送出し（Ｓ２１０）、選局情報取得部２２から読み出し完了通知２２ａが出されるのを待って（Ｓ２１１）、レジスタ２７から選局情報を読み出す（Ｓ２１２）。次に、読み出した選局情報と現在時刻を含む視聴データを作成し（Ｓ２１３）、記憶部２４に記憶する（Ｓ２１４）。次に、レジスタ２７から読み出した選局情報が示すチャンネルと同じチャンネルを基準チューナ２８に選局させ（Ｓ２１５）、音声比較部２９から出力されている比較結果を監視する（Ｓ２１６）。そして、音声比較部２９の比較結果が不一致に変化したとき、ステップＳ２１０に戻って上述した処理と同様の処理を繰り返す。
【００７８】
このように本実施の形態によれば、デジタルチューナ１１を備え、ディスプレイおよびスピーカに映像および音声信号が出力されているデジタルチューナ１１のチャンネルの選局情報をデジタルインタフェースバス３を通じて外部から読み出せるテレビ１において、デジタルインタフェースバス３のトラフィックをむやみに増大させることなく実際に視聴されているチャンネルを高速かつ正確に判定することができる。その理由は、第１の実施の形態では視聴チャンネルの切替えを高速に検出するためにはタイマ２５で規定する周期を短くする必要があり、デジタルインタフェースバス３のトラフィックが増大するが、本実施の形態では、視聴中と判定したチャンネルを基準チューナ２８に選局させて音声比較部２９の出力を監視し、音声比較部２９の出力が不一致検出状態に変化したとき、視聴チャンネルが切替えられたと判断して、選局情報取得部２２に対し新たな読み出しを指示しているためである。従って、情報家電のネットワーク化が進み、１本のデジタルインタフェースバス３にテレビ１、パーソナルコンピュータ、デジタル録画機器、デジタルカメラ、プリンタなど多くの機器がデジチェーン接続されるようになっても、それらの機器間のデジタルインタフェースバス経由による通信に悪影響を与えずに視聴チャンネルを判定することが可能である。
【００７９】
[第３の実施の形態]
図７を参照すると、本発明の第３の実施の形態にかかる測定装置２は、図４に示した第２の実施の形態にかかる測定装置２と比較して、制御部２１および選局情報取得部２２の動作が相違しており、その他の点は第２の実施の形態と同じである。
【００８０】
次に本実施の形態にかかる測定装置２の動作を説明する。
【００８１】
測定装置２は、選局情報取得部２２により図８（ａ）に示す処理を実行し、制御部２１により図８（ｂ）に示す処理を実行する。
【００８２】
選局情報取得部２２による処理は、制御部２１から選局情報の読み出し指示２１ａを受信する毎に実行される。選局情報取得部２２は、制御部２１から選局情報の読み出し指示２１ａを受信すると、ＩＥＥＥ１３９４通信部２６によりデジタルインタフェースバス３を通じてデジタルチューナ１１のチャンネルの選局情報を読み出し（Ｓ３００）、読み出した選局情報をレジスタ２７にセットし（Ｓ３０１）、読み出し完了通知２２ａを制御部２１に送出する（Ｓ２０２）。続いて、タイマ２５を起動し（Ｓ３０３）、タイマ２５がタイムアウトすると（Ｓ３０４）、ＩＥＥＥ１３９４通信部２６によりデジタルインタフェースバス３を通じてデジタルチューナ１１のチャンネルの選局情報を読み出し（Ｓ３０５）、前回読み出した選局情報と比較し（Ｓ３０６）、同じならステップＳ３０３に戻り、相違していれば今回読み出した選局情報をレジスタ２７にセットし（Ｓ３０７）、デジタルチューナ１１のチャンネルの選局情報が変化した旨を示す変化通知２２ｂを制御部２１に送出し（Ｓ３０８）、ステップＳ３０３に戻る。
【００８３】
制御部２１による処理では、選局情報の読み出し指示２１ａを制御部２１から選局情報取得部２２に送出し（Ｓ３１０）、選局情報取得部２２から読み出し完了通知２２ａが出されるのを待って（Ｓ３１１）、レジスタ２７から選局情報を読み出す（Ｓ３１２）。次に、読み出した選局情報と現在時刻を含む視聴データを作成し（Ｓ３１３）、記憶部２４に記憶する（Ｓ３１４）。次に、レジスタ２７から読み出した選局情報が示すチャンネルと同じチャンネルを基準チューナ２８に選局させ（Ｓ３１５）、音声比較部２９から出力されている比較結果を監視すると同時に（Ｓ３１６）、選局情報取得部２２から変化通知２２ｂが出力されたかどうかを監視する（Ｓ３１７）。そして、音声比較部２９の比較結果が不一致に変化したときは、ステップＳ３１０に戻って上述した処理と同様の処理を繰り返す。また、音声比較部２９の比較結果が一致を示していても、変化通知２２ｂが出力されたら、ステップＳ３１２に戻って上述した処理と同様の処理を繰り返す。
【００８４】
視聴中と判定したチャンネルを基準チューナ２８に選局させて音声比較部２９の出力を監視した場合、視聴チャンネルが切替えられると、一般的には音声比較部２９の出力が不一致検出状態に変化する。しかし、変化しない稀な場合が考えられる。例えば、視聴チャンネルと切替え先チャンネルとが同一の番組を放送するチャンネルであったり、同じ緊急放送を流していた場合、チャンネルの切替え前後で音声が同一なので、視聴チャンネルが切替えられても音声比較部２９の出力が不一致状態に変化しない場合がある。このような場合、第２の実施の形態では誤判定状態が継続する可能性があるが、本実施の形態では、選局情報取得部２２がデジタルチューナ１１のチャンネルの選局情報の変化を検出した時点で正しい視聴チャンネルが判定されるため、より正確な判定が可能である。なお、タイマ２５で規定する一定周期は、第１の実施の形態と同じにしても良いし、デジタルインタフェースバス３のトラフィックを抑えるために、第１の実施の形態に比べて長い周期に設定しても良い。
【００８５】
以上の第１乃至第３の実施の形態において、テレビ１は１つのデジタルチューナ１１しか備えていないが、地上デジタル放送用とＢＳデジタル放送用など複数のデジタルチューナを備えるテレビであっても、それら複数のデジタルチューナのうち、ディスプレイおよびスピーカに映像および音声信号が出力されているデジタルチューナのチャンネルの選局情報を、デジタルインタフェースバス３を通じて外部から読み出せるテレビであれば、第１乃至第３の実施の形態と同様の方法で視聴チャンネルの判定が可能である。
【００８６】
以上の第１乃至第３の実施の形態は、少なくとも１つのデジタルチューナを備え、ディスプレイおよびスピーカに映像および音声信号が出力されているチューナのチャンネルの選局情報をデジタルインタフェースバスを通じて外部から読み出せるテレビを対象としたが、以下の実施の形態では、デジタルインタフェースバスを通じて読み出した選局情報だけでは視聴チャンネルが確定しないテレビに本発明を適用する。このようなテレビには以下のようなタイプがある。
（Ａ）２以上のデジタルチューナを備え、デジタルチューナのチャンネルの選局情報をデジタルインタフェースバスを通じて外部から読み出せるが、読み出した選局情報からは何れのデジタルチューナの映像および音声信号がディスプレイおよびスピーカに出力されているか特定できないテレビ。
（Ｂ）デジタルチューナ以外にアナログチューナを備えているテレビ。このタイプＢのテレビは更に以下のように分類できる。
（Ｂ−１）ディスプレイおよびスピーカに映像および音声信号が出力されているデジタルチューナのチャンネルの選局情報をデジタルインタフェースバスを通じて外部から読み出せるため、デジタルチューナ選択時は選局情報だけで視聴チャンネルの特定が可能であるが、アナログチューナが選択されている場合には選局情報以外の何らかの方法で視聴チャンネルを特定する必要があるテレビ。
（Ｂ−２）デジタルチューナのチャンネルの選局情報をデジタルインタフェースバスを通じて外部から読み出せるが、読み出した選局情報だけでは、映像および音声信号がディスプレイおよびスピーカに出力されているデジタルチャンネルが確定せず、アナログチューナ選択時と同様に何らかの方法で視聴デジタルチャンネルを特定する必要があるテレビ。
【００８７】
以下、前記（Ａ）のタイプのテレビに本発明を適用した第４乃至第６の実施の形態、前記（Ｂ−１）のタイプのテレビに本発明を適用した第７乃至第９の実施の形態、前記（Ｂ−２）のタイプのテレビに本発明を適用した第１０乃至第１２の実施の形態について、それぞれ説明する。
【００８８】
［第４の実施の形態］
図９を参照すると、本発明の第４の実施の形態で対象とするテレビ１は、２つのデジタルチューナ１１−１、１１−２を備え、それぞれＩＥＥＥ１３９４通信部１２に接続され、デジタルインタフェースバス３によって、測定装置２のＩＥＥＥ１３９４通信部２６が接続されている点で、図１の第１の実施の形態で対象とするテレビ１と相違する。また、本実施の形態にかかる測定装置２は、図１の第１の実施の形態にかかる測定装置２と比較して、音声ケーブル５を通じてテレビ１のスピーカ出力端子１３に接続されている点、基準チューナ２８および音声比較部２９を備えている点、制御部２１の動作が相違する点で相違しており、その他の点は第１の実施の形態と同じである。
【００８９】
基準チューナ２８は、テレビ１に内蔵されたデジタルチューナ１１−１、１１−２とは独立に、デジタルチューナ１１−１、１１−２と同じデジタル放送を測定装置２側で受信復調するユニットであり、制御線３０を通じて制御部２１に接続され、信号線３１を通じて音声比較部２９に接続されている。基準チューナ２８は、制御部２１から選局すべきチャンネルの指定情報を制御線３０を通じて受信すると、この指定情報で指定されたチャンネルを選局し、そのチャンネルの少なくとも音声信号を復調して信号線３１を通じて音声比較部２９に出力する。
【００９０】
音声比較部２９は、音声ケーブル５を通じてテレビ１のスピーカ出力端子１３から入力した音声信号の特徴量と、信号線３１を通じて基準チューナ２８から入力した音声信号の特徴量とを求め、双方の特徴量の類似度を判定することにより、テレビ１から出ている音声が基準チューナ２８から出ている音声と一致するか否かを検出する。音声比較部２９の検出結果は、信号線３２を通じて制御部２１へ通知される。音声比較部２９は、例えば図５で説明したような構成のものを使用することができる。
【００９１】
次に本実施の形態にかかる測定装置２の動作を説明する。
【００９２】
測定装置２は、選局情報取得部２２により図２（ａ）に示す処理と同様の処理を実行し、制御部２１により図１０に示す処理を実行する。選局情報取得部２２による処理では、第１の実施の形態と同様な方法によって、デジタルインタフェースバス３を通じてデジタルチューナ１１−１、１１−２のチャンネルの選局情報を周期的に読み出してレジスタ２７にセットし、各読み出し毎に読み出し完了通知２２ａを制御部２１に送出する。本実施の形態では、各デジタルチューナ１１−１、１１−２は、自身で選局中のチャンネルの映像および音声信号がディスプレイおよびスピーカに出力されているか否かにかかわらず、現在選局されているチャンネルの情報を提供するため、測定装置２は読み出した選局情報だけでは、何れのデジタルチューナ１１−１、１１−２の映像および音声信号がディスプレイおよびスピーカに出力されているかは特定できない。
【００９３】
制御部２１による図１０の処理は、選局情報取得部２２から読み出し完了通知２２ａが出される毎に実行される。先ずレジスタ２７に保持されたデジタルチューナ１１−１、１１−２のチューナの選局情報を読み出し（Ｓ４００）、そのうちの何れか１つの選局情報に注目する（Ｓ４０１）。次に、注目中の選局情報が示すチャンネルに基準チューナ２８を選局させ（Ｓ４０２）、音声比較部２９の音声比較結果が一致を示すか否かを判別する（Ｓ４０３）。若し、音声比較部２９の音声比較結果が一致を示していれば、注目中の選局情報が示すチャンネルを視聴チャンネルに確定し、ステップＳ４０６へ進む。音声比較部２９の音声比較結果が一致を示さなければ、レジスタ２７に保持された次の１つの選局情報に注目を移し（Ｓ４０４）、その選局情報が示すチャンネルに基準チューナ２８を選局させ（Ｓ４０２）、音声比較部２９の音声比較結果が一致を示すか否かを再び判別する（Ｓ４０３）。そして、音声比較部２９の音声比較結果が一致を示していれば、注目中の選局情報が示すチャンネルを視聴チャンネルに確定し、ステップＳ４０６へ進む。なおも一致を示さない場合、本実施の形態ではデジタルチューナは２つなので、ステップＳ４０５において全ての選局情報を処理し終えたと判定し、ステップＳ４００に戻って再び上述した処理を繰り返す。但し、このような繰り返しを省略するか、あるいは一定時間だけ繰り返しても視聴チャンネルが確定しない場合、エラーコードを含む視聴データを作成して記録するようにしても良い。
【００９４】
ステップＳ４０６では、記憶部２４に記憶されている前回保存した視聴データの視聴中チャンネルと今回確定した視聴チャンネルとが同じかどうかを判別し、同じであれば今回の一連の処理を終了する。同じでなければ、今回確定した視聴チャンネルの情報と制御部２１に内蔵された計時機能が示す現在時刻とを含む視聴データを作成し（ステップＳ４０７）、この作成した視聴データを記憶部２４に記憶する（ステップＳ４０８）。
【００９５】
このように本実施の形態によれば、２つのデジタルチューナ１１−１、１１−２を備え、デジタルチューナ１１−１、１１−２のチャンネルの選局情報をデジタルインタフェースバスを通じて外部から読み出せるが、読み出した選局情報からは何れのデジタルチューナ１１−１、１１−２の映像および音声信号がディスプレイおよびスピーカに出力されているか特定できないテレビ１において、実際に視聴されているチャンネルをタイマ２５で規定される一定周期毎に高速かつ正確に判定することができる。その理由は、候補となるチャンネルが絞り込まれているため、全チャンネルについて基準チューナ２８の音声と比較する必要がないからである。
【００９６】
［第５の実施の形態］
図１１を参照すると、本発明の第５の実施の形態にかかる測定装置２は、図９に示した第４の実施の形態にかかる測定装置２と比較して、制御部２１および選局情報取得部２２の動作が相違しており、その他の点は第４の実施の形態と同じである。
【００９７】
次に本実施の形態にかかる測定装置２の動作を説明する。
【００９８】
測定装置２は、選局情報取得部２２により図６（ａ）に示した処理と同様の処理を実行し、制御部２１により図１２に示す処理を実行する。選局情報取得部２２による処理では、制御部２１から読み出し指示２１ａを受ける毎に、第２の実施の形態と同様な方法によって、デジタルインタフェースバス３を通じてデジタルチューナ１１−１、１１−２のチャンネルの選局情報を読み出してレジスタ２７にセットし、読み出し完了通知２２ａを制御部２１に送出する。ただし、本実施の形態でも第４の実施の形態と同様に、読み出した選局情報だけでは、何れのデジタルチューナ１１−１、１１−２の映像および音声信号がディスプレイおよびスピーカに出力されているかは特定できない。
【００９９】
制御部２１による処理では、選局情報の読み出し指示２１ａを制御部２１から選局情報取得部２２に送出し（Ｓ５００）、選局情報取得部２２から読み出し完了通知２２ａが出されるのを待って（Ｓ５０１）、レジスタ２７からデジタルチューナ１１−１、１１−２のチャンネルの選局情報を読み出す（Ｓ５０２）。次に、図１０に示した第４の実施の形態にかかるステップＳ４０１〜Ｓ４０８と同様なステップＳ５０３〜Ｓ５１０によって、音声比較によって視聴チャンネルを確定し、視聴チャンネルの情報と現在時刻を含む視聴データの作成と記憶部２４への記憶を行う。そして、確定した視聴チャンネルと同じチャンネルを基準チューナ２８に選局させたままの状態で、音声比較部２９から出力されている比較結果を監視し（Ｓ５１１）、音声比較部２９の比較結果が不一致に変化したとき、ステップＳ５００に戻って上述した処理と同様の処理を繰り返す。
【０１００】
このように本実施の形態によれば、２つのデジタルチューナ１１−１、１１−２を備え、デジタルチューナ１１−１、１１−２のチャンネルの選局情報をデジタルインタフェースバスを通じて外部から読み出せるが、読み出した選局情報からは何れのデジタルチューナ１１−１、１１−２の映像および音声信号がディスプレイおよびスピーカに出力されているか特定できないテレビ１において、実際に視聴されているチャンネルを高速かつ正確に判定することができ、しかも第２の実施の形態と同様にデジタルインタフェースバス３のトラフィックを低減することができる。
【０１０１】
［第６の実施の形態］
図１３を参照すると、本発明の第６の実施の形態にかかる測定装置２は、図１１に示した第５の実施の形態にかかる測定装置２と比較して、制御部２１および選局情報取得部２２の動作が相違しており、その他の点は第５の実施の形態と同じである。
【０１０２】
次に本実施の形態にかかる測定装置２の動作を説明する。
【０１０３】
測定装置２は、選局情報取得部２２により図８（ａ）に示した処理と同様の処理を実行し、制御部２１により図１４に示す処理を実行する。選局情報取得部２２による処理では、制御部２１から選局情報の読み出し指示２１ａを受信する毎に第３の実施の形態と同様な方法により、デジタルチューナ１１−１、１１−２のチャンネルの選局情報をデジタルインタフェースバス３を通じて読み出してレジスタ２７経由で選局情報取得部２２に通知すると共に、以後周期的に、デジタルチューナ１１−１、１１−２のチャンネルの選局情報をデジタルインタフェースバス３を通じて読み出し、前回と変化していた場合に限り変化後の選局情報をレジスタ２７に設定して変化通知２２ｂを制御部２１に出力する。
【０１０４】
制御部２１による処理は、図１２のステップＳ５００〜Ｓ５１１と同様の処理を行うステップＳ６００〜Ｓ６１１によって、選局情報取得部２２で取得された選局情報が示すチャンネルを１チャンネルずつ順に基準チューナ２８に選局させていって音声比較部２９の出力が一致検出状態を示すに至ったチャンネルを視聴中のチャンネルと判定し、視聴中チャンネルの情報と時刻情報とを含む視聴データを生成して記憶部２４に記憶した後、視聴中と判定したチャンネルを基準チューナ２８に選局させた状態で音声比較部２９の出力を監視し、音声比較部２９の出力が不一致検出状態に変化したとき、ステップＳ６００に戻って選局情報取得部２２に対し新たな読み出しを指示して前記一連の処理を再び実行する。更に本実施の形態では、音声比較部２９の出力が不一致検出状態に変化する前に、選局情報取得部２２から変化通知２２ｂを出力されたかどうかを監視し（Ｓ６１２）、変化通知２２ｂが出力されたとき、ステップＳ６０２に戻って前記一連の処理を再び実行する。
【０１０５】
本実施の形態によれば、第３の実施の形態と同様の効果を得ることができる。
【０１０６】
以上の第４乃至第６の実施の形態において、テレビ１は２つのデジタルチューナ１１−１、１１−２しか備えていないが、３つ以上のデジタルチューナを備えるテレビであっても、第１乃至第３の実施の形態と同様の方法で視聴チャンネルの判定が可能である。
【０１０７】
［第７の実施の形態］
図１５を参照すると、本発明の第７の実施の形態で対象とするテレビ１は、地上波ＶＨＦ／ＵＨＦアナログチューナやＢＳアナログチューナの如きアナログチューナ１４を備える点で、図１の第１の実施の形態で対象とするテレビ１と相違する。また、本実施の形態にかかる測定装置２は、図１の第１の実施の形態にかかる測定装置２と比較して、音声ケーブル５を通じてテレビ１のスピーカ出力端子１３に接続されている点、基準チューナ２８および音声比較部２９を備えている点、制御部２１の動作が相違する点で相違しており、その他の点は第１の実施の形態と同じである。
【０１０８】
基準チューナ２８は、テレビ１に内蔵されたアナログチューナ１４とは独立に、アナログチューナ１４と同じアナログ放送を測定装置２側で受信復調するユニットであり、制御線３０を通じて制御部２１に接続され、信号線３１を通じて音声比較部２９に接続されている。基準チューナ２８は、制御部２１から選局すべきチャンネルの指定情報を制御線３０を通じて受信すると、この指定情報で指定されたチャンネルを選局し、そのチャンネルの少なくとも音声信号を復調して信号線３１を通じて音声比較部２９に出力する。
【０１０９】
音声比較部２９は、音声ケーブル５を通じてテレビ１のスピーカ出力端子１３から入力した音声信号の特徴量と、信号線３１を通じて基準チューナ２８から入力した音声信号の特徴量とを求め、双方の特徴量の類似度を判定することにより、テレビ１から出ている音声が基準チューナ２８から出ている音声と一致するか否かを検出する。音声比較部２９の検出結果は、信号線３２を通じて制御部２１へ通知される。音声比較部２９は、例えば図５で説明したような構成のものを使用することができる。
【０１１０】
次に本実施の形態にかかる測定装置２の動作を説明する。
【０１１１】
測定装置２は、選局情報取得部２２により図２（ａ）に示した処理と同様の処理を実行し、制御部２１により図１６に示す処理を実行する。選局情報取得部２２による処理では、第１の実施の形態と同様な方法によって、デジタルインタフェースバス３を通じてデジタルチューナ１１のチャンネルの選局情報が周期的に読み出されてレジスタ２７にセットされ、各読み出し毎に読み出し完了通知２２ａが制御部２１に送出される。本実施の形態では、デジタルチューナ１１は、自身で選局中のチャンネルの映像および音声信号がディスプレイおよびスピーカに出力されていれば、その選局中のチャンネルの情報を外部に提供し、自身で選局中のチャンネルでなくアナログチューナ１４で選局されているチャンネルの映像および音声信号がディスプレイおよびスピーカに出力されていれば、無効な選局情報（例えばＮＵＬＬ値）を外部に提供する。
【０１１２】
制御部２１による図１６の処理は、選局情報取得部２２から読み出し完了通知２２ａが出される毎に実行される。先ずレジスタ２７に保持されたデジタルチューナ１１のチャンネルの選局情報を読み出し（Ｓ７００）、その値が有効か無効かを判定する（Ｓ７０１）。選局情報が有効で何れかのチャンネルの情報が示されていれば、そのチャンネルを視聴チャンネルに確定し、ステップＳ７０７へ進む。他方、選局情報の値がＮＵＬＬ値で無効であれば、アナログチューナ１４が選択されていると判断し、以下のような手順で視聴中のアナログチャンネルを特定する。先ず、アナログチューナ１４で選局可能なチャンネルのうちの１つのチャンネルに注目する（Ｓ７０２）。次に、注目中のチャンネルに基準チューナ２８を選局させ（Ｓ７０３）、音声比較部２９の音声比較結果が一致を示すか否かを判別する（Ｓ７０４）。若し、音声比較部２９の音声比較結果が一致を示していれば、注目中のチャンネルを視聴チャンネルに確定し、ステップＳ７０７へ進む。音声比較部２９の音声比較結果が一致を示さなければ、次の１つのアナログチャンネルに注目を移し（Ｓ７０５）、そのチャンネルに基準チューナ２８を選局させ（Ｓ７０３）、音声比較部２９の音声比較結果が一致を示すか否かを再び判別する（Ｓ７０４）。そして、音声比較部２９の音声比較結果が一致を示していれば、注目中の選局情報が示すチャンネルを視聴チャンネルに確定し、ステップＳ７０７へ進む。なおも一致を示さない場合、更に残りの１つのアナログチャンネルに注目を移して前述した処理と同様の処理を繰り返す。全てのアナログチャンネルについて繰り返しても視聴チャンネルを特定できなかった場合（Ｓ７０６でＹＥＳ）、本実施の形態では図１６の処理を終えるようにしているが、エラーコードを含む視聴データを作成して記録するようにしても良い。
【０１１３】
ステップＳ７０７では、記憶部２４に記憶されている前回保存した視聴データの視聴中チャンネルと今回確定した視聴チャンネルとが同じかどうかを判別し、同じであれば今回の一連の処理を終了する。同じでなければ、今回確定した視聴チャンネルの情報と制御部２１に内蔵された計時機能が示す現在時刻とを含む視聴データを作成し（ステップＳ７０８）、この作成した視聴データを記憶部２４に記憶する（ステップＳ７０９）。
【０１１４】
このように本実施の形態によれば、デジタルチューナ１１およびアナログチューナ１４をそれぞれ１つ備え、ディスプレイおよびスピーカに映像および音声信号が出力されているデジタルチューナ１１のチャンネルの選局情報をデジタルインタフェースバス３を通じて外部から読み出せるテレビ１において、実際に視聴されているチャンネルをタイマ２５で規定される一定周期毎に高速かつ正確に判定することができる。その理由は、デジタルチューナ１１に関してはデジタルインタフェースバス３経由で読み取った選局情報により直ちに視聴チャンネルが判定でき、音声比較による視聴チャンネルの特定はアナログチャンネルに対してのみ実施すれば済むからである。
【０１１５】
［第８の実施の形態］
図１７を参照すると、本発明の第８の実施の形態にかかる測定装置２は、図１５に示した第７の実施の形態にかかる測定装置２と比較して、基準チューナ２８の構成と制御部２１および選局情報取得部２２の動作が相違しており、その他の点は第７の実施の形態と同じである。
【０１１６】
基準チューナ２８は、テレビ１に内蔵されたデジタルチューナ１１、アナログチューナ１４とは独立に、デジタルチューナ１１と同じデジタル放送、アナログチューナ１４と同じアナログ放送を測定装置２側で受信復調するユニットであり、制御線３０を通じて制御部２１に接続され、信号線３１を通じて音声比較部２９に接続されている。基準チューナ２８は、制御部２１から選局すべきチャンネルの指定情報を制御線３０を通じて受信すると、この指定情報で指定されたチャンネルを選局し、そのチャンネルの少なくとも音声信号を復調して信号線３１を通じて音声比較部２９に出力する。
【０１１７】
次に本実施の形態にかかる測定装置２の動作を説明する。
【０１１８】
測定装置２は、選局情報取得部２２により図６（ａ）に示した処理と同様の処理を実行し、制御部２１により図１８に示す処理を実行する。選局情報取得部２２による処理では、制御部２１から読み出し指示２１ａを受ける毎に、第２の実施の形態と同様な方法によって、デジタルインタフェースバス３を通じてデジタルチューナ１１のチャンネルの選局情報を読み出してレジスタ２７にセットし、読み出し完了通知２２ａを制御部２１に送出する。
【０１１９】
制御部２１による処理では、選局情報の読み出し指示２１ａを制御部２１から選局情報取得部２２に送出し（Ｓ８００）、選局情報取得部２２から読み出し完了通知２２ａが出されるのを待って（Ｓ８０１）、レジスタ２７からデジタルチューナ１１のチャンネルの選局情報を読み出す（Ｓ８０２）。次に、図１６に示した第７の実施の形態にかかるステップＳ７０１〜Ｓ７０６と同様なステップＳ８０３〜Ｓ８０８によって視聴チャンネルを確定し、視聴チャンネルの情報と現在時刻を含む視聴データの作成と記憶部２４への記憶を行う（Ｓ８１０、Ｓ８１１）。そして、レジスタ２７から読み出した選局情報に基づいてデジタルチューナ１１の何れかのチャンネルを視聴チャンネルと判定した場合には、判定したチャンネルと同じチャンネルを基準チューナ２８に選局させ（Ｓ８０９）、音声比較でアナログチューナ１４の何れかのチャンネルを視聴チャンネルと判定した場合には基準チューナ２８に同アナログチャンネルを選局させたままの状態で、音声比較部２９から出力されている比較結果を監視し（Ｓ８１２）、音声比較部２９の比較結果が不一致に変化したとき、ステップＳ８００に戻って上述した処理と同様の処理を繰り返す。
【０１２０】
このように本実施の形態によれば、デジタルチューナ１１およびアナログチューナ１４をそれぞれ１つ備え、ディスプレイおよびスピーカに映像および音声信号が出力されているデジタルチューナ１１のチャンネルの選局情報をデジタルインタフェースバス３を通じて外部から読み出せるテレビ１において、実際に視聴されているチャンネルを高速かつ正確に判定することができ、しかも第２の実施の形態と同様にデジタルインタフェースバス３のトラフィックを低減することができる。
【０１２１】
［第９の実施の形態］
図１９を参照すると、本発明の第９の実施の形態にかかる測定装置２は、図１７に示した第８の実施の形態にかかる測定装置２と比較して、制御部２１および選局情報取得部２２の動作が相違しており、その他の点は第８の実施の形態と同じである。
【０１２２】
次に本実施の形態にかかる測定装置２の動作を説明する。
【０１２３】
測定装置２は、選局情報取得部２２により図８（ａ）に示した処理と同様の処理を実行し、制御部２１により図２０に示す処理を実行する。選局情報取得部２２による処理では、制御部２１から選局情報の読み出し指示２１ａを受信する毎に第３の実施の形態と同様な方法により、デジタルチューナ１１のチャンネルの選局情報をデジタルインタフェースバス３を通じて読み出してレジスタ２７経由で選局情報取得部２２に通知すると共に、以後周期的に、デジタルチューナ１１のチャンネルの選局情報をデジタルインタフェースバス３を通じて読み出し、前回と変化していた場合に限り変化後の選局情報をレジスタ２７に設定して変化通知２２ｂを制御部２１に出力する。
【０１２４】
制御部２１による処理は、図１８のステップＳ８００〜Ｓ８１２と同様な処理を行うステップＳ９００〜Ｓ９１２により、選局情報取得部２２で取得された選局情報が何れかのデジタルチャンネルを示す場合にはその選局情報に基づいて視聴中のチャンネルを判定し、選局情報が何れのデジタルチャンネルも示さない場合には、アナログチャンネルを１チャンネルずつ順に基準チューナ２８に選局させていって音声比較部２９の出力が一致検出状態を示すに至ったチャンネルを視聴中のチャンネルと判定し、視聴中チャンネルの情報と時刻情報とを含む視聴データを生成するという一連の処理を行い、また、視聴中と判定したチャンネルを基準チューナ２８に選局させた状態で音声比較部２９の出力を監視し、音声比較部２９の出力が不一致検出状態に変化したとき、選局情報取得部２２に対し新たな読み出しを指示して前記一連の処理を再び実行する。更に本実施の形態では、音声比較部２９の出力が不一致検出状態に変化する前に、選局情報取得部２２から変化通知２２ｂを出力されたかどうかを監視し（Ｓ９１３）、変化通知２２ｂが出力されたとき、ステップＳ９０２に戻って前述した一連の処理を再び実行する。
【０１２５】
本実施の形態によれば、第３の実施の形態と同様の効果を得ることができる。
【０１２６】
以上の第７乃至第９の実施の形態において、テレビ１は１つのデジタルチューナ１１しか備えていないが、地上デジタル放送用とＢＳデジタル放送用など複数のデジタルチューナを備えるテレビであっても、それら複数のデジタルチューナのうち、ディスプレイおよびスピーカに映像および音声信号が出力されているデジタルチューナのチャンネルの選局情報を、デジタルインタフェースバス３を通じて外部から読み出せるテレビであれば、第７乃至第９の実施の形態と同様の方法で視聴チャンネルの判定が可能である。また、第７乃至第９の実施の形態において、テレビ１は１つのアナログチューナ１４しか備えていないが、ＶＨＦ／ＵＨＦアナログチューナとＢＳアナログチューナなど複数のアナログチューナを備えるテレビに対しても適用可能である。
【０１２７】
［第１０の実施の形態］
図２１を参照すると、本発明の第１０の実施の形態で対象とするテレビ１は、地上波ＶＨＦ／ＵＨＦアナログチューナやＢＳアナログチューナの如きアナログチューナ１４を備える点で、図９の第４の実施の形態で対象とするテレビ１と相違する。また、本実施の形態にかかる測定装置２は、図９の第４の実施の形態にかかる測定装置２と比較して、基準チューナ２８の構成、制御部２１の動作が相違し、その他の点は第４の実施の形態と同じである。
【０１２８】
基準チューナ２８は、テレビ１に内蔵されたデジタルチューナ１１−１、１１−２、アナログチューナ１４とは独立に、デジタルチューナ１１−１、１１−２と同じデジタル放送、アナログチューナ１４と同じアナログ放送を測定装置２側で受信復調するユニットであり、制御線３０を通じて制御部２１に接続され、信号線３１を通じて音声比較部２９に接続されている。基準チューナ２８は、制御部２１から選局すべきチャンネルの指定情報を制御線３０を通じて受信すると、この指定情報で指定されたチャンネルを選局し、そのチャンネルの少なくとも音声信号を復調して信号線３１を通じて音声比較部２９に出力する。
【０１２９】
次に本実施の形態にかかる測定装置２の動作を説明する。
【０１３０】
測定装置２は、選局情報取得部２２により図２（ａ）に示した処理と同様の処理を実行し、制御部２１により図２２に示す処理を実行する。選局情報取得部２２による処理では、第４の実施の形態と同様な方法によって、デジタルインタフェースバス３を通じてデジタルチューナ１１−１、１１−２のチャンネルの選局情報が周期的に読み出されてレジスタ２７にセットされ、各読み出し毎に読み出し完了通知２２ａが制御部２１に送出される。第４の実施の形態と同様に、各デジタルチューナ１１−１、１１−２は、自身で選局中のチャンネルの映像および音声信号がディスプレイおよびスピーカに出力されているか否かにかかわらず、現在選局されているチャンネルの情報を提供するため、測定装置２は読み出した選局情報だけでは、何れのデジタルチューナ１１−１、１１−２の映像および音声信号がディスプレイおよびスピーカに出力されているかは特定できない。
【０１３１】
制御部２１による図２２の処理は、選局情報取得部２２から読み出し完了通知２２ａが出される毎に実行される。先ずレジスタ２７に保持されたデジタルチューナ１１−１、１１−２のチューナの選局情報を読み出し（Ｓ１０００）、そのうちの何れか１つの選局情報に注目する（Ｓ１００１）。次に、注目中の選局情報が示すチャンネルに基準チューナ２８を選局させ（Ｓ１００２）、音声比較部２９の音声比較結果が一致を示すか否かを判別する（Ｓ１００３）。若し、音声比較部２９の音声比較結果が一致を示していれば、注目中の選局情報が示すチャンネルを視聴チャンネルに確定し、ステップＳ１０１１へ進む。音声比較部２９の音声比較結果が一致を示さなければ、レジスタ２７に保持された次の１つの選局情報に注目を移し（Ｓ１００４）、その選局情報が示すチャンネルに基準チューナ２８を選局させ（Ｓ１００２）、音声比較部２９の音声比較結果が一致を示すか否かを再び判別する（Ｓ１００３）。そして、音声比較部２９の音声比較結果が一致を示していれば、注目中の選局情報が示すチャンネルを視聴チャンネルに確定し、ステップＳ１０１１へ進む。なおも一致を示さない場合、本実施の形態ではデジタルチューナは２つなので、ステップＳ１００５において全ての選局情報を処理し終えたと判定し、アナログチューナ１４のチャンネルの判定処理へと進む。
【０１３２】
アナログチューナ１４のチャンネルの判定処理では、先ず、アナログチューナ１４で選局可能なチャンネルのうちの１つのチャンネルに注目する（Ｓ１００６）。次に、注目中のチャンネルに基準チューナ２８を選局させ（Ｓ１００７）、音声比較部２９の音声比較結果が一致を示すか否かを判別する（Ｓ１００８）。若し、音声比較部２９の音声比較結果が一致を示していれば、注目中のチャンネルを視聴チャンネルに確定し、ステップＳ１０１１へ進む。音声比較部２９の音声比較結果が一致を示さなければ、次の１つのアナログチャンネルに注目を移し（Ｓ１００９）、そのチャンネルに基準チューナ２８を選局させ（Ｓ１００７）、音声比較部２９の音声比較結果が一致を示すか否かを再び判別する（Ｓ１００８）。そして、音声比較部２９の音声比較結果が一致を示していれば、注目中の選局情報が示すチャンネルを視聴チャンネルに確定し、ステップＳ１０１１へ進む。なおも一致を示さない場合、更に残りの１つのアナログチャンネルに注目を移して前述した処理と同様の処理を繰り返す。全てのアナログチャンネルについて繰り返しても視聴チャンネルを特定できなかった場合（Ｓ１０１０でＹＥＳ）、本実施の形態では図２２の処理を終えるようにしているが、エラーコードを含む視聴データを作成して記録するようにしても良い。
【０１３３】
ステップＳ１０１１では、記憶部２４に記憶されている前回保存した視聴データの視聴中チャンネルと今回確定した視聴チャンネルとが同じかどうかを判別し、同じであれば今回の一連の処理を終了する。同じでなければ、今回確定した視聴チャンネルの情報と制御部２１に内蔵された計時機能が示す現在時刻とを含む視聴データを作成し（ステップＳ１０１２）、この作成した視聴データを記憶部２４に記憶する（ステップＳ１０１３）。
【０１３４】
このように本実施の形態によれば、２つのデジタルチューナ１１−１、１１−２と１つのアナログチューナ１４を備え、デジタルチューナ１１−１、１１−２のチャンネルの選局情報をデジタルインタフェースバス３を通じて外部から読み出せるが、読み出した選局情報からは何れのデジタルチューナ１１−１、１１−２の映像および音声信号がディスプレイおよびスピーカに出力されているか特定できないテレビ１において、実際に視聴されているチャンネルをタイマ２５で規定される一定周期毎に正確に判定することができる。その理由は、デジタルチューナ１１−１、１１−２については候補となるチャンネルが絞り込まれているため全チャンネルについて基準チューナ２８と音声比較する必要がないからである。
【０１３５】
［第１１の実施の形態］
図２３を参照すると、本発明の第１１の実施の形態にかかる測定装置２は、図２１に示した第１０の実施の形態にかかる測定装置２と比較して、制御部２１および選局情報取得部２２の動作が相違しており、その他の点は第１０の実施の形態と同じである。
【０１３６】
次に本実施の形態にかかる測定装置２の動作を説明する。
【０１３７】
測定装置２は、選局情報取得部２２により図６（ａ）に示した処理と同様の処理を実行し、制御部２１により図２４に示す処理を実行する。選局情報取得部２２による処理では、制御部２１から読み出し指示２１ａを受ける毎に、第２の実施の形態と同様な方法によって、デジタルインタフェースバス３を通じてデジタルチューナ１１−１、１１−２のチャンネルの選局情報を読み出してレジスタ２７にセットし、読み出し完了通知２２ａを制御部２１に送出する。
【０１３８】
制御部２１による処理では、選局情報の読み出し指示２１ａを制御部２１から選局情報取得部２２に送出し（Ｓ１１００）、選局情報取得部２２から読み出し完了通知２２ａが出されるのを待って（Ｓ１１０１）、レジスタ２７からデジタルチューナ１１−１、１１−２のチャンネルの選局情報を読み出す（Ｓ１１０２）。次に、図２２に示した第１０の実施の形態にかかるステップＳ１００１〜Ｓ１０１０と同様なステップＳ１１０３〜Ｓ１１１２によって視聴チャンネルを確定し、視聴チャンネルの情報と現在時刻を含む視聴データの作成と記憶部２４への記憶を行う（Ｓ１１１３、Ｓ１１１４）。そして、基準チューナ２８に視聴チャンネルを選局させたままの状態で、音声比較部２９から出力されている比較結果が一致か、不一致かを判定し（Ｓ１１１５）、音声比較部２９の比較結果が不一致に変化したとき、ステップＳ１０００に戻って上述した処理と同様の処理を繰り返す。
【０１３９】
このように本実施の形態によれば、２つのデジタルチューナ１１−１、１１−２と１つのアナログチューナ１４を備え、デジタルチューナ１１−１、１１−２のチャンネルの選局情報をデジタルインタフェースバス３を通じて外部から読み出せるが、読み出した選局情報からは何れのデジタルチューナの映像および音声信号がディスプレイおよびスピーカに出力されているか特定できないテレビにおいて、実際に視聴されているチャンネルを高速かつ正確に判定することができ、しかも第２の実施の形態と同様にデジタルインタフェースバス３のトラフィックを低減することができる。
【０１４０】
［第１２の実施の形態］
図２５を参照すると、本発明の第１２の実施の形態にかかる測定装置２は、図２３に示した第１１の実施の形態にかかる測定装置２と比較して、制御部２１および選局情報取得部２２の動作が相違しており、その他の点は第１１の実施の形態と同じである。
【０１４１】
次に本実施の形態にかかる測定装置２の動作を説明する。
【０１４２】
測定装置２は、選局情報取得部２２により図８（ａ）に示した処理と同様の処理を実行し、制御部２１により図２６に示す処理を実行する。選局情報取得部２２による処理では、制御部２１から選局情報の読み出し指示２１ａを受信する毎に第３の実施の形態と同様な方法により、デジタルチューナ１１−１、１１−２のチャンネルの選局情報をデジタルインタフェースバス３を通じて読み出してレジスタ２７経由で選局情報取得部２２に通知すると共に、以後周期的に、デジタルチューナ１１−１、１１−２のチャンネルの選局情報をデジタルインタフェースバス３を通じて読み出し、前回と変化していた場合に限り変化後の選局情報をレジスタ２７に設定して変化通知２２ｂを制御部２１に出力する。
【０１４３】
制御部２１による処理は、図２４のステップＳ１１００〜Ｓ１１１５と同様な処理を行うステップＳ１２００〜Ｓ１２１５により、選局情報取得部２２で取得された選局情報が示すデジタルチャンネルおよびアナログチューナ１４で選局可能なアナログチャンネルを１チャンネルずつ順に基準チューナ２８に選局させていって音声比較部２９の出力が一致検出状態を示すに至ったチャンネルを視聴中のチャンネルと判定し、視聴中チャンネルの情報と時刻情報とを含む視聴データを生成するという一連の処理を行い、また、視聴中と判定したチャンネルを基準チューナ２８に選局させた状態で音声比較部２９の出力を監視し、音声比較部２９の出力が不一致検出状態に変化したとき、選局情報取得部２２に対し新たな読み出しを指示して前記一連の処理を再び実行する。更に本実施の形態では、音声比較部２９の出力が不一致検出状態に変化する前に、選局情報取得部２２から変化通知２２ｂを出力されたかどうかを監視し（Ｓ１２１６）、変化通知２２ｂが出力されたとき、ステップＳ１２０２に戻って前述した一連の処理を再び実行する。
【０１４４】
本実施の形態によれば、第３の実施の形態と同様の効果を得ることができる。
【０１４５】
以上の第１０乃至第１２の実施の形態において、テレビ１は２つのデジタルチューナ１１−１、１１−２しか備えていないが、３つ以上のデジタルチューナを備えるテレビであっても、第１０乃至第１２の実施の形態と同様の方法で視聴チャンネルの判定が可能である。また、第１０乃至第１２の実施の形態において、テレビ１は１つのアナログチューナ１４しか備えていないが、ＶＨＦ／ＵＨＦアナログチューナとＢＳアナログチューナなど複数のアナログチューナを備えるテレビに対しても適用可能である。
【０１４６】
基準チューナの実施例として、第１２の実施の形態にかかる測定装置２に備わる基準チューナ２８の実施例を図２７に示す。この例の基準チューナ２８は、アナログチューナ２８１、デジタルチューナ２８２、２８３、音声復調部２８４、音声デコーダ２８５、２８６およびアナログスイッチ２８７を備えている。アナログチューナ２８１はアナログチューナ１４と同じアナログ放送を受信するチューナであり、制御部２１から信号線３０−１を通じて指定されたチャンネルを選択的に受信する。アナログチューナ２８１の出力信号は次段の音声復調部２８４に伝達され、音声復調部２８４は当該チャンネルの音声信号を復調し、アナログスイッチ２８７に出力する。デジタルチューナ２８２、２８３はそれぞれデジタルチューナ１１−１、１１−２と同じデジタル放送を受信するチューナであり、制御部２１から信号線３０−２、３０−３を通じて指定されたチャンネルを選択的に受信する。デジタルチューナ２８２、２８３の出力信号は次段のＭＰＥＧ−２（ＡＡＣ）デコーダなどの音声デコーダ２８５、２８６に伝達され、音声デコーダ２８５、２８６は当該チャンネルの音声信号を復調し、アナログスイッチ２８７に出力する。アナログスイッチ２８７は、制御線３０−４を通じて制御部２１から指定される選択指示に従って、音声復調部２８４、音声デコーダ２８５、２８６の出力の何れか１つを選択し、信号線３１を通じて音声比較部２９に出力する。
【０１４７】
［第１３の実施の形態］
図２８を参照すると、本発明の第１３の実施の形態にかかる測定装置２は、１本のデジタルインタフェースバス３を通じてテレビ１とデジタル録画機器６に接続されており、テレビ１で実際に視聴されているチャンネルの検出に加えて、デジタル録画機器６の動作状態も併せて検出し、視聴データに含めるようにしたものである。
【０１４８】
図２８において、テレビ１は、第１乃至第１２の実施の形態で対象としたテレビの何れかであり、デジタル録画機器６は、Ｄ−ＶＨＳ、ＤＶＤレコーダ、ＨＤＤレコーダなどである。測定装置２は、第１乃至第１２の実施の形態にかかる測定装置２に、デジタルインタフェースバス３経由でデジタル録画機器６の動作状態を読み出す機能を付加したものである。特許文献４にも記載されるように、Ｄ−ＶＨＳ等のデジタル録画機器６の場合、ＩＥＥＥ１３９４バスを通じてトランスポートステート（ＴＲＡＮＳＰＯＲＴ  ＳＴＡＴＥ）・コマンドを送信し、そのレスポンスデータより、録画、停止、再生、早送り、巻き戻しなどの状態が取得できる。従って、第１乃至第１２の実施の形態にかかる測定装置２の選局情報取得部２２に、ＩＥＥＥ１３９４通信部２６を通じてデジタル録画機器６に対してトランスポートステート・コマンドを送信し、そのレスポンスデータより、録画、停止、再生、早送り、巻き戻しなどの状態を取得する機能を持たせることで、デジタル録画機器６の動作状態も簡単かつ正確に検出することができる。なお、選局情報取得部２２で取得されたデジタル録画機器６の動作状態は制御部２１に伝達され、視聴データの一部として記憶部２４に記憶される。
【０１４９】
［その他の実施の形態］
本発明は以上の実施の形態にのみ限定されず、その他各種の付加変更が可能である。例えば、以下のように構成することもできる。
【０１５０】
調査対象のテレビとして、デジタルチューナやアナログチューナを内蔵するテレビ１を例に挙げたが、ＳＴＢ（セットトップボックス）を用いてＢＳデジタル放送等を受信しているテレビにも適用可能である。
【０１５１】
テレビ１のスピーカから出ている音声をスピーカ出力端子１３から取り出すようにしたが、マイクロフォンでスピーカの出力音声を拾う構成とすることも可能である。
【０１５２】
テレビ１が、ＶＨＳ等のＡＶ機器のモニタとしても使えるように外部入力端子を持つＡＶテレビの場合、先ずテレビで実際に視聴しているソースを判定し、視聴ソースが放送波である場合に視聴チャンネル判定を行うようにすることができる。視聴ソースの判定方法としては、例えば米国特許第６４８７７１９号明細書に記載された方法などを利用することができる。
【産業上の利用可能性】
【０１５３】
以上のように、本発明にかかる視聴チャンネル判定方法及び装置は、テレビ視聴率を調査するためにサンプル世帯に設置されたテレビの視聴チャンネルを調査する方法および装置として有用であり、特に地上デジタル放送やＢＳデジタル放送などデジタル放送を視聴できる多チャンネルなテレビの視聴チャンネルを調査する方法および装置に用いるのに適している。
【図面の簡単な説明】
【０１５４】
【図１】本発明の第１の実施の形態のブロック図である。
【図２】本発明の第１の実施の形態における測定装置の選局情報取得部および制御部の処理例を示すフローチャートである。
【図３】チューナ・ステータス・ディスクリプタの一例とそのディスクリプタの読み取りシーケンスを示す図である。
【図４】本発明の第２の実施の形態のブロック図である。
【図５】本発明の第２の実施の形態における測定装置の音声比較部の構成例を示すブロック図である。
【図６】本発明の第２の実施の形態における測定装置の選局情報取得部および制御部の処理例を示すフローチャートである。
【図７】本発明の第３の実施の形態のブロック図である。
【図８】本発明の第３の実施の形態における測定装置の選局情報取得部および制御部の処理例を示すフローチャートである。
【図９】本発明の第４の実施の形態のブロック図である。
【図１０】本発明の第４の実施の形態における測定装置の制御部の処理例を示すフローチャートである。
【図１１】本発明の第５の実施の形態のブロック図である。
【図１２】本発明の第５の実施の形態における測定装置の制御部の処理例を示すフローチャートである。
【図１３】本発明の第６の実施の形態のブロック図である。
【図１４】本発明の第６の実施の形態における測定装置の制御部の処理例を示すフローチャートである。
【図１５】本発明の第７の実施の形態のブロック図である。
【図１６】本発明の第７の実施の形態における測定装置の制御部の処理例を示すフローチャートである。
【図１７】本発明の第８の実施の形態のブロック図である。
【図１８】本発明の第８の実施の形態における測定装置の制御部の処理例を示すフローチャートである。
【図１９】本発明の第９の実施の形態のブロック図である。
【図２０】本発明の第９の実施の形態における測定装置の制御部の処理例を示すフローチャートである。
【図２１】本発明の第１０の実施の形態のブロック図である。
【図２２】本発明の第１０の実施の形態における測定装置の制御部の処理例を示すフローチャートである。
【図２３】本発明の第１１の実施の形態のブロック図である。
【図２４】本発明の第１１の実施の形態における測定装置の制御部の処理例を示すフローチャートである。
【図２５】本発明の第１２の実施の形態のブロック図である。
【図２６】本発明の第１２の実施の形態における測定装置の制御部の処理例を示すフローチャートである。
【図２７】本発明の第１２の実施の形態における測定装置の基準チューナの構成例を示すブロック図である。
【図２８】本発明の第１３の実施の形態のブロック図である。
【符号の説明】
【０１５５】
１…テレビジョン受像機
２…測定装置
３…デジタルインタフェースバス
４…通信ケーブル
５…音声ケーブル
６…デジタル録画機器
１１、１１−１、１１−２…デジタルチューナ
１２、２６…ＩＥＥＥ１３９４通信部
１３…スピーカ出力端子
２１…制御部
２１ａ…読み出し指示
２２…選局情報取得部
２２ａ…読み出し完了通知
２２ｂ…変化通知
２３…送信部
２４…記憶部
２５…タイマ
２７…レジスタ
２８…基準チューナ
２９…音声比較部
３０…制御線
３１…信号線
３２…信号線
【図１】
2005130351.tif 000003
【図２】
2005130351.tif 000004
【図３】
2005130351.tif 000005
【図４】
2005130351.tif 000006
【図５】
2005130351.tif 000007
【図６】
2005130351.tif 000008
【図７】
2005130351.tif 000009
【図８】
2005130351.tif 000010
【図９】
2005130351.tif 000011
【図１０】
2005130351.tif 000012
【図１１】
2005130351.tif 000013
【図１２】
2005130351.tif 000014
【図１３】
2005130351.tif 000015
【図１４】
2005130351.tif 000016
【図１５】
2005130351.tif 000017
【図１６】
2005130351.tif 000018
【図１７】
2005130351.tif 000019
【図１８】
2005130351.tif 000020
【図１９】
2005130351.tif 000021
【図２０】
2005130351.tif 000022
【図２１】
2005130351.tif 000023
【図２２】
2005130351.tif 000024
【図２３】
2005130351.tif 000025
【図２４】
2005130351.tif 000026
【図２５】
2005130351.tif 000027
【図２６】
2005130351.tif 000028
【図２７】
2005130351.tif 000029
【図２８】
2005130351.tif 000030